(57)【要約】  提案する技術は、全体として、１つまたは複数の無線ユーザデバイス（１２０）にサーブする指向性ビームに基づいて動作する、無線通信システムにおける無線リソース管理に関する。基本的概念は、無線通信システムのネットワークノード（１１０）とユーザデバイス（１２０）との間の無線伝播特性の変化を予測するため、１つまたは複数のイメージセンサ（１１５）から取得した画像情報を処理すること、ならびに無線伝播特性の予測した変化に基づいて、無線通信システムにおける少なくとも１つの指向性ビームに対するモビリティ参照信号を制御し、ならびに／あるいはモビリティ参照信号の測定を設定し、ならびに／あるいはモビリティ参照信号の測定による測定結果の報告および／または処理を設定することである。【選択図】図３
2021510466.tif 000002
【特許請求の範囲】
【請求項１】
少なくとも１つのユーザデバイス（１２０）にサーブする指向性ビームを使用するように適合された、無線通信システム（１００）における無線リソース管理を実施する方法であって、
前記無線通信システムの少なくとも１つのネットワークノード（１１０）における無線カバレッジエリアの少なくとも一部を監視する少なくとも１つのイメージセンサ（１１５）から、画像情報を取得すること（Ｓ１）と、
前記無線通信システムのネットワークノード（１１０）とユーザデバイス（１２０）との間の無線伝播特性の変化を予測するため、前記取得した画像情報を処理すること（Ｓ２）と、
前記無線伝播特性の予測した変化に基づいて、前記無線通信システムにおける少なくとも１つの指向性ビームに対するモビリティ参照信号を制御すること（Ｓ３−Ａ）、ならびに／あるいは前記モビリティ参照信号の測定を設定すること（Ｓ３−Ｂ）、ならびに／あるいは前記モビリティ参照信号の測定による測定結果の報告および／または処理を設定すること（Ｓ３−Ｃ）と、を含む、方法。
【請求項２】
前記ネットワークノード（１１０）とユーザデバイス（１２０）との間の無線伝播特性の変化を予測するため、前記取得した画像情報を処理する前記ステップ（Ｓ２）が、前記ユーザデバイス（１２０）と前記無線カバレッジエリアにおける少なくとも１つの障害物（１２５）との間の相対移動、および／または前記ユーザデバイス（１２０）と前記ネットワークノード（１１０）との間の相対移動を推定すること（Ｓ２−１）と、前記推定した相対移動に基づいて前記無線伝播特性の変化を予測すること（Ｓ２−２）とを含む、請求項１に記載の方法。
【請求項３】
モビリティ参照信号を制御する前記ステップ（Ｓ３−Ａ）が、前記モビリティ参照信号をオンオフすること（Ｓ３−Ａ−１Ａ）、および／または前記モビリティ参照信号の送信を設定すること（Ｓ３−Ａ−１Ｂ）を含む、請求項１または２に記載の方法。
【請求項４】
前記モビリティ参照信号の測定を設定する前記ステップ（Ｓ３−Ｂ）が、周波数および／または時間単位で前記測定を設定すること（Ｓ３−Ｂ−１）を含む、請求項１から３のいずれか一項に記載の方法。
【請求項５】
測定結果の報告および／または処理を設定する前記ステップ（Ｓ３−Ｃ）が、閾値および／またはタイマーの報告および／または測定を設定すること（Ｓ３−Ｃ−１）を含む、請求項１から４のいずれか一項に記載の方法。
【請求項６】
前記画像情報が、前記無線通信システムの無線カバレッジエリアの少なくとも一部を監視する複数のイメージセンサ（１１５）から取得される、請求項１から５のいずれか一項に記載の方法。
【請求項７】
無線伝播特性の変化を予測するため、前記取得した画像情報を処理する前記ステップ（Ｓ２）が、
前記複数のイメージセンサ（１１５）から取得した前記画像情報に基づいて、前記無線カバレッジエリアまたはその少なくとも一部に関連する環境の画像ベースの地理空間的モデルを動的に生成すること（Ｓ２−１１）と、
前記無線カバレッジエリアまたはその少なくとも一部と関連付けられた無線リソース管理に関連する情報を生成すること（Ｓ２−１２）と、
前記ネットワークノード（１１０）と前記ユーザデバイス（１２０）との間の前記無線伝播特性の変化を予測するため、前記環境の前記地理空間的モデルからの情報および無線リソース管理に関連する前記情報を処理すること（Ｓ２−１３）と、を含む、請求項６に記載の方法。
【請求項８】
無線リソース管理に関する前記情報が、前記環境の前記地理空間的モデルの上位に無線リソース管理関連情報のレイヤとして生成される、請求項７に記載の方法。
【請求項９】
前記無線通信システムにおける少なくとも１つの指向性ビームに対するモビリティ参照信号を制御する（Ｓ３−Ａ）、ならびに／あるいは前記モビリティ参照信号の測定を設定する（Ｓ３−Ｂ）、ならびに／あるいは測定結果の報告および／または処理を設定する（Ｓ３−Ｃ）前記ステップが、前記無線伝播特性の予測した変化に基づいて、前記無線通信システムにおける少なくとも１つの指向性ビームに対する前記モビリティ参照信号を制御する、ならびに／あるいは前記モビリティ参照信号の前記報告および／または測定を設定する、ならびに／あるいは前記測定結果の報告および／または処理を設定する、制御情報を生成すること（Ｓ３−１１）を含む、請求項１から８のいずれか一項に記載の方法。
【請求項１０】
前記無線通信システムにおける少なくとも１つの指向性ビームに対するモビリティ参照信号を制御する（Ｓ３−Ａ）、ならびに／あるいは前記モビリティ参照信号の測定を設定する（Ｓ３−Ｂ）、ならびに／あるいは測定結果の報告および／または処理を設定する（Ｓ３−Ｃ）前記ステップが、前記生成した制御情報を前記ネットワークノード（１１０）および／または前記ユーザデバイス（１２０）に転送すること（Ｓ３−１２）を更に含む、請求項９に記載の方法。
【請求項１１】
前記イメージセンサ（１１５）が前記無線通信システムの少なくとも１つのネットワークノード（１１０）と接続して配置される、ならびに／あるいは前記イメージセンサ（１１５）が前記ネットワークノード（１１０）と統合される、請求項１から１０のいずれか一項に記載の方法。
【請求項１２】
前記方法が、前記無線通信システムと関連付けられたネットワークユニット（１１０；１５０）によって実施される、請求項１から１１のいずれか一項に記載の方法。
【請求項１３】
少なくとも１つのユーザデバイス（１２０）にサーブする指向性ビームを使用するように適合された、無線通信システム（１００）における無線リソース管理のシステム（２００）であって、
前記システム（２００）が、前記無線通信システムの少なくとも１つのネットワークノード（１１０）における無線カバレッジエリアの少なくとも一部を監視する少なくとも１つのイメージセンサ（１１５）から、画像情報を取得するように設定され、
前記システム（２００）が、前記無線通信システムのネットワークノード（１１０）とユーザデバイス（１２０）との間の無線伝播特性の変化を予測するため、前記取得した画像情報を処理するように設定され、
前記システム（２００）が、前記無線伝播特性の予測した変化に基づいて、前記無線通信システムにおける少なくとも１つの指向性ビームに対するモビリティ参照信号を制御し、ならびに／あるいは前記モビリティ参照信号の測定を設定し、ならびに／あるいは前記モビリティ参照信号の測定による測定結果の報告および／または処理を設定するように設定される、システム（２００）。
【請求項１４】
前記システム（２００）が、前記ユーザデバイス（１２０）と前記無線カバレッジエリアにおける少なくとも１つの障害物（１２５）との間の相対移動、および／または前記ユーザデバイス（１２０）と前記ネットワークノード（１１０）との間の相対移動の推定と、前記推定した相対移動に基づいた前記無線伝播特性の変化の予測に基づいて、前記ネットワークノード（１１０）とユーザデバイス（１２０）との間の無線伝播特性の変化を予測するため、前記取得した画像情報を処理するように設定される、請求項１３に記載のシステム。
【請求項１５】
前記システム（２００）が、モビリティ参照信号のオンオフ、および／または前記モビリティ参照信号の送信の設定に基づいて、前記モビリティ参照信号を制御するように設定される、請求項１３または１４に記載のシステム。
【請求項１６】
前記システム（２００）が、周波数および／または時間単位で前記モビリティ参照信号の測定を設定するように設定される、請求項１３から１５のいずれか一項に記載のシステム。
【請求項１７】
前記システム（２００）が、閾値および／またはタイマーの報告および／または測定の設定に基づいて、測定結果の報告および／または処理を設定するように設定される、請求項１３から１６のいずれか一項に記載のシステム。
【請求項１８】
前記システム（２００）が、前記無線通信システムの無線カバレッジエリアの少なくとも一部を監視する複数のイメージセンサ（１１５）から前記画像情報を取得するように設定される、請求項１３から１７のいずれか一項に記載のシステム。
【請求項１９】
前記システム（２００）が、前記複数のイメージセンサから取得した前記画像情報に基づいて、前記無線カバレッジエリアまたはその少なくとも一部に関連する前記環境の画像ベースの地理空間的モデルを動的に生成するように設定され、
前記システム（２００）が、前記無線カバレッジエリアまたはその少なくとも一部と関連付けられた無線リソース管理に関連する情報を生成するように設定され、
前記システム（２００）が、前記ネットワークノード（１１０）と前記ユーザデバイス（１２０）との間の前記無線伝播特性の変化を予測するため、前記環境の前記地理空間的モデルからの情報および無線リソース管理に関連する前記情報を処理するように設定される、請求項１８に記載のシステム。
【請求項２０】
前記システム（２００）が、無線リソース管理に関連する前記情報を、前記環境の前記地理空間的モデルの上位に無線リソース管理関連情報のレイヤとして生成するように設定される、請求項１９に記載のシステム。
【請求項２１】
前記システム（２００）が、前記無線伝播特性の予測した変化に基づいて、前記無線通信システムの少なくとも１つの指向性ビームに対する前記モビリティ参照信号を制御し、ならびに／あるいは前記モビリティ参照信号の前記測定を設定し、ならびに／あるいは前記測定結果の報告および／または処理を設定する、制御情報を生成するように設定される、請求項１３から２０のいずれか一項に記載のシステム。
【請求項２２】
前記システム（２００）が、前記生成された制御情報を前記ネットワークノードおよび／または前記ユーザデバイスに転送するように設定される、請求項２１に記載のシステム。
【請求項２３】
前記イメージセンサ（１１５）が前記無線通信システムの少なくとも１つのネットワークノード（１１０）と接続して配置される、ならびに／あるいは前記イメージセンサ（１１５）が前記ネットワークノード（１１０）と統合される、請求項１３から２２のいずれか一項に記載のシステム。
【請求項２４】
前記システム（２００）が、プロセッサ（２１０）とメモリ（２２０）とを備え、前記メモリ（２２０）が、前記プロセッサ（２１０）によって実行されると、前記プロセッサに前記無線リソース管理を実施させる、命令を含む、請求項１３から２３のいずれか一項に記載のシステム。
【請求項２５】
請求項１３から２４のいずれか一項に記載の無線リソース管理のシステム（２００）を備える、ネットワークユニット（１１０；１５０；３００）。
【請求項２６】
前記ネットワークユニット（１１０；１５０；３００）がネットワークノード（１１０）またはネットワークデバイス（１５０）である、請求項２５に記載のネットワークユニット。
【請求項２７】
前記ネットワークノード（１１０）が無線アクセスネットワークノードである、請求項２６に記載のネットワークユニット。
【請求項２８】
前記ネットワークデバイス（１５０）がクラウドベースのネットワークデバイスである、請求項２６に記載のネットワークユニット。
【請求項２９】
少なくとも１つのユーザデバイス（１２０）にサーブする指向性ビームを使用するように適合された、無線通信システム（１００）の無線リソース管理コントローラ（４００）であって、
前記コントローラ（４００）が、前記無線通信システムの無線カバレッジエリアの少なくとも一部を監視する少なくとも１つのイメージセンサ（１１５）からの画像情報に基づいて、前記無線通信システムにおける少なくとも１つの指向性ビームに対するモビリティ参照信号を制御するように適合され、ならびに／あるいは前記モビリティ参照信号の測定を設定するように適合され、ならびに／あるいは前記モビリティ参照信号の測定による測定結果の報告および／または処理を設定するように適合される、無線リソース管理コントローラ（４００）。
【請求項３０】
請求項２９に記載の無線リソース管理コントローラ（４００）を備える、ネットワークユニット（１１０；１５０；３００）。
【請求項３１】
実行されると、少なくとも１つのユーザデバイスにサーブする指向性ビームを使用するように適合された、無線通信システムにおける無線リソース管理を実施する、コンピュータプログラム（５２５；５３５）であって、前記コンピュータプログラム（５２５；５３５）が命令を含み、該命令が、少なくとも１つのプロセッサ（５１０）によって実行されると、前記少なくとも１つのプロセッサ（５１０）に、
前記無線通信システムの少なくとも１つのネットワークノードにおける無線カバレッジエリアの少なくとも一部を監視する少なくとも１つのイメージセンサから、画像情報を取得させ、
前記無線通信システムのネットワークノードとユーザデバイスとの間の無線伝播特性の変化を予測するため、前記取得した画像情報を処理させ、
前記無線伝播特性の予測した変化に基づいて、前記無線通信システムの少なくとも１つの指向性ビームに対するモビリティ参照信号を制御する、ならびに／あるいは前記モビリティ参照信号の測定を設定する、ならびに／あるいは前記モビリティ参照信号の測定による測定結果の報告および／または処理を設定する、制御情報を生成させる、コンピュータプログラム（５２５；５３５）。
【請求項３２】
請求項３１のコンピュータプログラム（５２５；５３５）を格納したコンピュータ可読媒体（５２０；５３０）を含む、コンピュータプログラム製品。
【請求項３３】
少なくとも１つのユーザデバイスにサーブする指向性ビームを使用するように適合された、無線通信システムにおける無線リソース管理を実施する装置（６００）であって、
前記無線通信システムの少なくとも１つのネットワークノードにおける無線カバレッジエリアの少なくとも一部を監視する少なくとも１つのイメージセンサから、画像情報を取得する入力モジュール（６１０）と、
前記無線通信システムのネットワークノードとユーザデバイスとの間の無線伝播特性の変化を予測するため、前記取得した画像情報を処理する処理モジュール（６２０）と、
前記無線伝播特性の予測した変化に基づいて、前記無線通信システムの少なくとも１つの指向性ビームに対するモビリティ参照信号を制御する、ならびに／あるいは前記モビリティ参照信号の測定を設定する、ならびに／あるいは前記モビリティ参照信号の測定による測定結果の報告および／または処理を設定する、制御情報を生成する制御モジュール（６３０）と、を備える、装置（６００）。
【発明の詳細な説明】
【技術分野】
【０００１】
提案される技術は、全体として、無線通信システムにおける無線リソース管理に関し、より具体的には、無線通信システムにおける無線リソース管理を実施する方法およびシステム、無線リソース管理コントローラ、および対応するネットワークユニット、ならびに対応するコンピュータプログラムおよびコンピュータプログラム製品、および無線通信システムにおける無線リソース管理を実施する装置に関する。
【背景技術】
【０００２】
一般に、無線リソース管理（ＲＲＭ）は無線通信システムにおいて非常に重要である。
【０００３】
ＲＲＭは、高度無線システムの中心にあり、無線リソースがどのように利用されるかを決定する。例えば、どの無線チャネル、送信電力、送信モード、変調および符号化を使用すべきか、またどの基地局／アクセスポイントにユーザが接続すべきかである。
【０００４】
ＲＲＭの解決策は、無線ネットワークの性能を大きな割合で決定する。
【０００５】
ＩＥＥＥ  ８０２．１１ａｙや、新無線（ＮＲ）とも呼ばれる３ＧＰＰ  ５Ｇなど、高周波数で動作する現代の無線通信システムは、ビーム形成およびビーム追跡を伴う高度なアンテナの解決策に依存しており、これもＲＲＭの一部である。
【０００６】
かかるシステムは、データ送信用の大型アンテナアレイを含む高度なアンテナシステムを使用するであろう。大型アンテナアレイを用いると、データ信号が狭い送信ビームの形で送信されて、ある方向では信号強度を増加させ、ならびに／あるいは他の方向では干渉を低減させる。一方では、これは、リンク品質を改善するため、また空間的分離を可能にし、ユーザ間の干渉を低減するために行われる。他方では、アレイを使用することは、個々のアンテナ素子の開口が小さく、それぞれが十分な信号エネルギーを捕捉しない高周波数展開において、十分なリンク品質を確保するのに必要である。素子をコヒーレントに整列させることによって、有効なビーム利得が生じるが、ビームの指向性も特定の方向になる。
【０００７】
図１は、無線ユーザデバイスにサーブするのに指向性ビームを使用して動作する、無線通信システムの一例を示す概略図である。無線通信システム１００は、ユーザ機器（ＵＥ）などの１つまたは複数の無線ユーザデバイス１２０にサーブするのに指向性ビームに基づいて動作する、無線アクセスネットワークノード（例えば、基地局および／またはアクセスポイント）などのネットワークノード１１０を含む無線アクセス部分に基づいてもよい。無線通信システムは、コアネットワーク（図示なし）、および／またはモビリティ管理、他のネットワークへの接続、およびリソース管理などのネットワーク機能に関与する他のネットワーク部分を含んでもよく、ならびに／あるいはそれに接続されてもよい。
【０００８】
アクティブモードでは、移動するＵＥの接続は、ＵＥがネットワークの異なるセルカバレッジエリアをまたいで移動する際に、シームレスで引き継がれなければならない。ハンドオーバは、ＵＥの進行中の接続を、１つのノード（サービング）から別のノード（ターゲット）へ、または１つのセルから同じノード内の別のセルに移行するプロセスである。これは、広いエリアにわたって透過的なサービスまたはサービスの継続性を遂行するために行われる。ハンドオーバは、データを何ら損失することなく、また好ましくは中断なしに行われるべきである。
【０００９】
ＬＴＥのようなセルベースの古いシステムでは、セル固有参照信号（ＣＲＳ）がモビリティ測定に使用されてきた。ＵＥがシステムに存在しているか、またはその位置にかかわらず、全帯域幅にわたって常時オンの形式で全ての近隣セルにブロードキャストされる。ＣＲＳは、簡単に測定され一貫した結果をもたらすが、スタティックＣＲＳシグナリングは、多量のリソース使用、電力消費、およびダウンリンクにおける一定したセル間干渉の発生につながる。
【００１０】
全ての基地局は、自身のセルおよび近隣セル内にあるＵＥがターゲットセルの品質を推定するのに使用する、パイロット信号を継続的に送信する。これは、ＧＳＭ（ＢＣＣＨ）、ＷＣＤＭＡ（ＣＰＩＣＨ）、およびＷｉＦｉ（ビーコン）においても真である。各ＵＥは、周期的測定を実施し、特定の報告条件が満たされると（周期的もしくはイベントベース）、測定結果をネットワークに報告する。サービングセルの品質が別の候補のセル品質に近づいていることが検出された場合、より詳細な測定プロセスまたはハンドオーバ手順が開始されてもよい。
【００１１】
いくつかの構成では、最初のアクセス信号、またはプライマリ同期信号／セカンダリ同期信号（ＰＳＳ／ＳＳＳ）のような他の関連する信号は、十分な速度で送信された場合、アクティブモードのモビリティ測定にも使用されてもよい。これらによって、測定の報告をネットワークに返す目的で、候補セルに関するリンク品質を推定することが可能になる。
【００１２】
現在のビームベースのシステムでは、サービングノードおよびターゲットノードの識別情報は、ノード間ハンドオーバ中のシームレスな接続を維持するのには十分でなくなっている場合が多い。隣接した基地局における狭帯域ビーム間のハンドオーバ管理が必須になり、サービング基地局は、ビームスイッチまたはビーム更新が自身のセル内で必要であるかも決定する必要がある。したがって、サービングリンクは実質上、基地局がＵＥと通信するのに現在用いているビームであってもよく、またそれが引き渡すかまたは切り替えるビームがターゲットリンクになる。
【００１３】
ＮＲのようなビームベースのシステムでは、スタティックダウンリンク参照信号（ＲＳ）の過度なシグナリングを回避するのが望ましいので、代わりにネットワークは、必要なときのみ、例えば所与のネットワーク領域でＵＥが見出されたとき、または関連する候補ビームの場合のみＵＥ固有の方式で、特別なモビリティ参照信号（ＭＲＳ）をオンにしてもよい。これは周期的に行われてもよく、またはＵＥに対するビームの更新が必要であるとネットワークが判断したとき、例えばサービングビームの品質の低下が検出されたときに行われてもよい。活性化された各ビームは、ビーム識別情報を保持するＭＲＳを送信する。
【００１４】
３ＧＰＰでは、信号構造のようなチャネル状態情報参照信号（ＣＳＩ−ＲＳ）が、ＰＳＳ／ＳＳＳ信号に加えて、モビリティ測定のためのＭＲＳとして使用されてもよいことが合意されている。ＣＳＩ−ＲＳを使用する動機は、例えば次のものであり得る。
ＰＳＳ／ＳＳＳが送信されるマルチＴＲＰセルにおけるＴＲＰ（送受信ポイント）間モビリティ。
所望のビームモビリティ分解能が、ＰＳＳ／ＳＳＳビーム掃引分解能よりも高い。
分散が中程度の環境におけるフェージングの堅牢性を改善するため、または測定精度を改善するために望ましい広帯域測定。
ＰＳＳ／ＳＳＳとは対照的に、ＣＳＩ−ＲＳは、動的にオンオフすることができ、ＵＥの存在およびそのモビリティの必要性に基づいて、ネットワークによって、適切なパラメータ（周期、帯域幅、対応する固有リンクの数など）にしたがって設定することができる。
【００１５】
無線ネットワークにおける高性能を達成するため、効率的なＲＲＭの解決策が必要とされている。これは、いくつかの理由から、今後の５Ｇの展開においてますます重要になるであろう。効率的なリソース使用のため、ＩＥＥＥ  ８０２．１１ａｙおよびＮＲなどの現在のシステムは、ビーム形成およびビーム追跡などの高度なアンテナの解決策に依存している。正確なビーム追跡を実施するために、無線リソースおよびエネルギー消費の点でコストがかかる、広範な測定およびシグナリングが必要である。
【００１６】
別の理由は、ＮＲは、例えば人、車両、建物、および他の障害物による妨害に対して無線信号がより高感度である、高周波数で動作することである。狭帯域ビームを使用してｍｍ波長帯で動作する、ＩＥＥＥ  ８０２．１１ａｙまたはＮＲのような現在のシステムにおける無線受信は、人が送信機と受信機との間の空間に歩いて進入してきた場合（屋内）、またはバスもしくはトラックなどの車両が送信機と受信機との間に進入してきた場合（屋外）、完全に失われる可能性がある。これにより、高速決定を行って、セッションドロップ／無線リンク不良を積極的に回避することができる、高速ＲＲＭアルゴリズムが必要になる。
【発明の概要】
【００１７】
全体的な目的は、無線通信システムにおける無線リソース管理を改善することである。
【００１８】
特別な目的は、無線通信システムにおける無線リソース管理を実施する方法を提供することである。
【００１９】
また、１つの目的は、無線通信システムにおける無線リソース管理のシステムを提供することである。
【００２０】
別の目的は、無線リソース管理のシステムを備えるネットワークユニットを提供することである。
【００２１】
更に別の目的は、無線通信システムの無線リソース管理コントローラを提供することである。
【００２２】
更に別の目的は、無線リソース管理コントローラを備えるネットワークユニットを提供することである。
【００２３】
また、１つの目的は、実行されると、無線通信システムにおける無線リソース管理を実施する、コンピュータプログラムを提供することである。
【００２４】
別の目的は、対応するコンピュータプログラム製品を提供することである。
【００２５】
更に別の目的は、無線通信システムにおける無線リソース管理を実施する装置を提供することである。
【００２６】
これらおよび他の目的は、提案する技術の実施形態によって満たされる。
【００２７】
第１の態様によれば、無線通信システムにおける無線リソース管理を実施する方法が提供される。無線通信システムは、少なくとも１つのユーザデバイスにサーブする指向性ビームを使用するように適合される。方法は、
無線通信システムの少なくとも１つのネットワークノードにおける無線カバレッジエリアの少なくとも一部を監視する少なくとも１つのイメージセンサから、画像情報を取得することと、
無線通信システムのネットワークノードとユーザデバイスとの間の無線伝播特性の変化を予測するため、取得した画像情報を処理することと、
無線伝播特性の予測した変化に基づいて、無線通信システムにおける少なくとも１つの指向性ビームに対するモビリティ参照信号を制御すること、ならびに／あるいはモビリティ参照信号の測定を設定すること、ならびに／あるいはモビリティ参照信号の測定による測定結果の報告および／または処理を設定することと、を含む。
【００２８】
このように、指向性ビームを使用して、現在の無線通信システムにおける無線リソース管理を改善することが可能である。利益の例としては、最適化された測定およびシグナリング、ならびにブロッキングなどのイベントが発生する前に実行する積極的な無線リソース管理の可能性が挙げられる。
【００２９】
第２の態様によれば、無線通信システムにおける無線リソース管理のシステムが提供される。無線通信システムは、少なくとも１つのユーザデバイスにサーブする指向性ビームを使用するように適合される。システムは、無線通信システムの少なくとも１つのネットワークノードにおける無線カバレッジエリアの少なくとも一部を監視する少なくとも１つのイメージセンサから、画像情報を取得するように設定される。システムは、無線通信システムのネットワークノードとユーザデバイスとの間の無線伝播特性の変化を予測するため、取得した画像情報を処理するように設定される。システムは更に、無線伝播特性の予測した変化に基づいて、無線通信システムにおける少なくとも１つの指向性ビームに対するモビリティ参照信号を制御し、ならびに／あるいはモビリティ参照信号の測定を設定し、ならびに／あるいはモビリティ参照信号の測定による測定結果の報告および／または処理を設定するように設定される。
【００３０】
第３の態様によれば、第２の態様による無線リソース管理のシステムを備えるネットワークユニットが提供される。
【００３１】
例として、ネットワークユニットはネットワークノードまたはネットワークデバイスであってもよい。
【００３２】
第４の態様によれば、無線通信システムの無線リソース管理コントローラが提供される。無線通信システムは、少なくとも１つのユーザデバイスにサーブする指向性ビームを使用するように適合される。コントローラは、無線通信システムの無線カバレッジエリアの少なくとも一部を監視する少なくとも１つのイメージセンサからの画像情報に基づいて、無線通信システムにおける少なくとも１つの指向性ビームに対するモビリティ参照信号を制御するように適合され、ならびに／あるいはモビリティ参照信号の測定を設定するように適合され、ならびに／あるいはモビリティ参照信号の測定による測定結果の報告および／または処理を設定するように適合される。
【００３３】
第５の態様によれば、第４の態様による無線リソース管理コントローラを備えるネットワークユニットが提供される。
【００３４】
第６の態様によれば、実行されると、無線通信システムにおける無線リソース管理を実施する、コンピュータプログラムが提供される。無線通信システムは、少なくとも１つのユーザデバイスにサーブする指向性ビームを使用するように適合される。コンピュータプログラムは命令を含み、命令は、少なくとも１つのプロセッサによって実行されると、少なくとも１つのプロセッサに、
無線通信システムの少なくとも１つのネットワークノードにおける無線カバレッジエリアの少なくとも一部を監視する少なくとも１つのイメージセンサから、画像情報を取得させ、
無線通信システムのネットワークノードとユーザデバイスとの間の無線伝播特性の変化を予測するため、取得した画像情報を処理させ、
無線伝播特性の予測した変化に基づいて、無線通信システムの少なくとも１つの指向性ビームに対するモビリティ参照信号を制御する、ならびに／あるいはモビリティ参照信号の測定を設定する、ならびに／あるいはモビリティ参照信号の測定による測定結果の報告および／または処理を設定する、制御情報を生成させる。
【００３５】
第７の態様によれば、第６の態様によるコンピュータプログラムが格納されたコンピュータ可読媒体を含む、コンピュータプログラム製品が提供される。
【００３６】
第８の態様によれば、無線通信システムにおける無線リソース管理を実施する装置が提供される。無線通信システムは、少なくとも１つのユーザデバイスにサーブする指向性ビームを使用するように適合される。装置は、無線通信システムの少なくとも１つのネットワークノードにおける無線カバレッジエリアの少なくとも一部を監視する少なくとも１つのイメージセンサから、画像情報を取得する入力モジュールを備える。装置はまた、無線通信システムのネットワークノードとユーザデバイスとの間の無線伝播特性の変化を予測するため、取得した画像情報を処理する処理モジュールと、無線伝播特性の予測した変化に基づいて、無線通信システムの少なくとも１つの指向性ビームに対するモビリティ参照信号を制御する、ならびに／あるいはモビリティ参照信号の測定を設定する、ならびに／あるいはモビリティ参照信号の測定による測定結果の報告および／または処理を設定する、制御情報を生成する制御モジュールとを備える。
【００３７】
詳細な説明を読むことにより、他の利点が認識されるであろう。
【００３８】
実施形態は、実施形態の更なる目的および利点と併せて、以下の説明を添付図面と共に参照することによって最も良く理解することができる。
【図面の簡単な説明】
【００３９】
【図１】無線ユーザデバイスにサーブするのに指向性ビームを使用して動作する、無線通信システムの一例を示す概略図である。
【図２】一実施形態による、無線通信システムの無線カバレッジエリアの少なくとも一部を表す画像情報を収集する１つまたは複数のイメージセンサを備える、無線通信システムの別の例を示す概略図である。
【図３】一実施形態による、ネットワークノードとユーザデバイスとの間の無線伝播特性の変化を、１つまたは複数のイメージセンサからの画像情報に基づいて予測することができる、無線通信システムの更に別の例を示す概略図である。
【図４】無線通信システムにおける少なくとも１つの指向性ビームに対するモビリティ参照信号、および／または関連する動作の制御の一例を示す概略図である。
【図５】一実施形態による、無線リソース管理を改善できるようにするシグナリングおよび／または動作の一例を示すシグナリングおよび動作の概略図である。
【図６】一実施形態による、無線通信システムにおける無線リソース管理を実施する方法の一例を示す概略フロー図である。
【図７】一実施形態による、取得した画像情報を処理するステップの一例を示す概略フロー図である。
【図８】一実施形態による、モビリティ参照信号を制御するステップの一例を示す概略フロー図である。
【図９】一実施形態による、モビリティ参照信号の測定を設定するステップの一例を示す概略フロー図である。
【図１０】一実施形態による、モビリティ参照信号の測定による測定結果の報告および／または処理を設定するステップの一例を示す概略フロー図である。
【図１１】一実施形態による、取得した画像情報を処理するステップの別の一例を示す概略フロー図である。
【図１２】一実施形態による、制御情報を生成し、かかる制御情報をネットワークノードおよび／またはユーザデバイスに任意に転送する一例を示す概略フロー図である。
【図１３】一実施形態による、無線リソース管理のシステムの一例を示す概略ブロック図である。
【図１４】一実施形態による、無線リソース管理のシステムの特定の一例を示す概略ブロック図である。
【図１５】一実施形態による、無線リソース管理のシステムを備えるネットワークユニットの一例を示す概略ブロック図である。
【図１６】一実施形態による、無線通信システムの無線リソース管理コントローラの一例を示す概略ブロック図である。
【図１７】一実施形態による、無線リソース管理コントローラを備えるネットワークユニットの一例を示す概略ブロック図である。
【図１８】一実施形態による、コンピュータ実装の一例を示す概略図である。
【図１９】一実施形態による、無線通信システムにおける無線リソース管理を実施する装置の一例を示す概略図である。
【図２０】いくつかの実施形態による、無線ネットワークの一例を示す概略図である。
【図２１】本明細書に記載する様々な態様による、ＵＥの一実施形態の一例を示す概略図である。
【図２２】いくつかの実施形態によって実現される機能が仮想化されてもよい、仮想化環境の一例を示す概略ブロック図である。
【図２３】いくつかの実施形態による、中間ネットワークを介してホストコンピュータに接続される通信ネットワークの一例を示す概略図である。
【図２４】いくつかの実施形態による、部分無線接続を通じて基地局を介してユーザ機器と通信しているホストコンピュータの一例を示す概略図である。
【図２５Ａ】いくつかの実施形態による、例えばホストコンピュータ、また任意に基地局およびユーザ機器も含む、通信システムにおいて実現される方法の例を示す概略フロー図である。
【図２５Ｂ】いくつかの実施形態による、例えばホストコンピュータ、また任意に基地局およびユーザ機器も含む、通信システムにおいて実現される方法の例を示す概略フロー図である。
【図２６Ａ】いくつかの実施形態による、ホストコンピュータ、基地局、およびユーザ機器を含む通信システムにおいて実現される方法の例を示す概略図である。
【図２６Ｂ】いくつかの実施形態による、ホストコンピュータ、基地局、およびユーザ機器を含む通信システムにおいて実現される方法の例を示す概略図である。
【発明を実施するための形態】
【００４０】
図面全体を通して、類似のまたは対応する要素に対しては、同じ参照符号を使用する。
【００４１】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は以下の説明から明白になるであろう。
【００４２】
以下、本明細書において想到される実施形態のいくつかについて、添付図面を参照して更に十分に記載する。しかしながら、他の実施形態が本明細書に開示する主題の範囲内に含まれ、開示する主題は、本明細書で説明する実施形態のみに限定されるものと解釈されるべきではなく、それよりもむしろ、これらの実施形態は、主題の範囲を当業者に伝えるために例として提供されるものである。
【００４３】
本明細書で使用するとき、非限定的用語「無線通信デバイス」、「局」、「ユーザ機器（ＵＥ）」、および「端末」は、移動電話、携帯電話、無線通信能力を備えた携帯情報端末（ＰＤＡ）、スマートフォン、内部もしくは外部モバイルブロードバンドモデムを備えたラップトップもしくはパーソナルコンピュータ（ＰＣ）、無線通信能力を備えたタブレット、ターゲットデバイス、デバイスツーデバイスＵＥ、マシンタイプＵＥもしくはマシンツーマシン通信が可能なＵＥ、カスタマ構内設備（ＣＰＥ）、ラップトップ埋込み機器（ＬＥＥ）、ラップトップ搭載機器（ＬＭＥ）、ＵＳＢドングル、ポータブル電子無線通信デバイス、無線通信能力を備えたセンサデバイスなどを指すことがある。特に、用語「無線通信デバイス」は、無線通信システムのネットワークノードと通信する、および／または場合によっては別の無線通信デバイスと直接通信する、いずれかのタイプの無線デバイスを含む、非限定的用語として解釈されるべきである。換言すれば、無線通信デバイスは、任意の関連する通信規格にしたがった無線通信用の回路類を備えた、いずれかのデバイスであってもよい。
【００４４】
本明細書で使用するとき、非限定的用語「ネットワークユニット」は、ネットワークノードおよび／またはネットワークデバイスを含む無線通信ネットワークと関連付けられた任意のネットワークユニットを指すことがある。
【００４５】
本明細書で使用するとき、非限定的用語「ネットワークノード」は、無線アクセスネットワークノード、基地局、アクセスポイント、ネットワークコントローラなどのネットワーク制御ノード、無線ネットワークコントローラ、基地局コントローラ、アクセスコントローラなど、ならびに無線通信ネットワークと関連付けられた他のノードを指すことがある。特に、用語「基地局」は、ノードＢ、またはエボルブドノードＢ（ｅＮＢ）、ｇノードＢなどの標準化された基地局機能、またマクロ／ミクロ／ピコ無線基地局、フェムト基地局としても知られるホーム基地局、中継ノード、中継器、無線アクセスポイント、無線送受信機基地局（ＢＴＳ）、また更には１つもしくは複数の遠隔無線装置（ＲＲＵ）を制御する無線制御ノードなどを含む、様々なタイプの無線基地局を包含することがある。
【００４６】
本明細書で使用するとき、用語「ネットワークデバイス」は、アクセスネットワーク、コアネットワーク、および類似のネットワーク構造のデバイスを含むがそれらに限定されない、通信ネットワークと接続されて位置するいずれかのデバイスを指すことがある。ネットワークデバイスという用語は、クラウドベースのネットワークデバイスを包含することもある。
【００４７】
図２は、一実施形態による、無線通信システムの無線カバレッジエリアの少なくとも一部を表す画像情報を収集する１つまたは複数のイメージセンサを備える、無線通信システムの別の例を示す概略図である。
【００４８】
上述したように、無線通信システム１００は、１つまたは複数の無線ユーザデバイス１２０にサーブするのに指向性ビームに基づいて動作する、無線アクセスネットワークノード（例えば、基地局および／もしくはアクセスポイント）などのネットワークユニットまたはネットワークノード１１０を含む無線アクセス部分に基づいてもよい。無線通信システム１００は更に、無線通信システムの無線カバレッジエリアの少なくとも一部を監視する、カメラなどの１つまたは複数のイメージセンサ１１５を備える。イメージセンサ１１５は、ネットワークノード１１０のいずれかと統合されてもよく、ならびに／あるいは有線および／または無線接続を使用してネットワークノード１１０のいずれかに接続される、別個の独立型ユニットとして提供されてもよい。
【００４９】
ネットワークノード１１０は、任意の標準的なネットワーク相互接続を使用して相互接続されてもよく、また、コアネットワーク（図示なし）、および／またはモビリティ管理、他のネットワークへの接続、およびリソース管理などのネットワーク機能に関与する他のネットワーク部分に接続されてもよい。これは、遠隔に、例えばクラウド環境に位置してもよい、ネットワークユニットまたはネットワークデバイス１５０によって表されてもよい。
【００５０】
上述したように、現在の無線通信システムでは、指向性ビームに対するモビリティ参照シグナリング、ならびに／あるいは有効な方式での関連する測定の設定および／または測定処理を制御できることは非常に重要である。
【００５１】
基本的概念は、無線通信システムのネットワークノードとユーザデバイスとの間の無線伝播特性の変化を予測するため、１つまたは複数のイメージセンサから取得した画像情報を処理すること、ならびに無線伝播特性の予測した変化に基づいて、無線通信システムにおける少なくとも１つの指向性ビームに対するモビリティ参照信号を制御し、ならびに／あるいはモビリティ参照信号の測定を設定し、ならびに／あるいはモビリティ参照信号の測定による測定結果の報告および／または処理を設定することである。
【００５２】
図３は、一実施形態による、ネットワークノードとユーザデバイスとの間の無線伝播特性の変化を、１つまたは複数のイメージセンサからの画像情報に基づいて予測することができる、無線通信システムの更に別の例を示す概略図である。この例では、車両および／または建物などの１つもしくは複数の障害物１２５の存在が、ネットワークノード１１０とユーザデバイス１２０との間の無線伝播条件および／または特性を変化させる可能性があることを認識することができる。また、ユーザデバイス１２０の移動が無線伝播特性を変化させる可能性がある。かかる変化は、関連エリアを監視する１つまたは複数のイメージセンサ１１５から得られる画像情報の使用に基づいて予測されてもよい。例として、画像情報は、ユーザデバイス１２０と少なくとも１つの障害物１２５との間の相対移動、および／またはユーザデバイス１２０とネットワークノード１１０との間の相対移動を推定するのに使用されてもよい。
【００５３】
図４は、無線通信システムにおける少なくとも１つの指向性ビームに対するモビリティ参照信号、および／または関連する動作の制御の一例を示す概略図である。この例では、無線伝播特性の予測した変化に応答する、関連ステップおよび／または動作としては、次のものを挙げることができる。
ｉ）少なくとも１つの指向性ビームに対するモビリティ参照信号を制御すること、
ｉｉ）モビリティ参照信号の測定を設定すること、ならびに／あるいは、
ｉｉｉ）モビリティ参照信号の測定による測定結果の報告および／または処理を設定すること。
【００５４】
図５は、一実施形態による、無線リソース管理を改善できるようにするシグナリングおよび／または動作の一例を示すシグナリングおよび動作の概略図である。
【００５５】
基本的に、画像情報が取得され、無線伝播特性の変化を予測するのに使用される。これは、無線通信システムの任意の適切なネットワークユニットによって、例えば、基地局などのネットワークノードによって、またはクラウドベースのネットワークユニットもしくはコアネットワークのネットワークユニットなど、多かれ少なかれ集中化されたネットワークユニットによって実施することができる。後者の場合、対応する制御情報が、モビリティ参照信号および／または関連動作を制御するため、関連するネットワークユニットに送信されてもよい。
【００５６】
いずれにせよ、無線伝播特性の予測した変化に応答して、モビリティ参照信号（ＭＲＳ）は、指向性ビームが意図される無線ユーザデバイスに達するように選択的に送信されてもよい。ユーザデバイスは、ＭＲＳ測定を実施し、測定結果の必要な測定処理を実施して、適切な無線リソース管理の決定を行う。あるいは、ユーザデバイスは、ＭＲＳ測定を実施し、例えばＭＲＳ測定報告の形で、測定結果をネットワークノードに転送して、ネットワークノードが測定結果の必要な測定処理を実施して、適切な無線リソース管理の決定を行うことを可能にする。任意に、ネットワークノードは、ＭＲＳ測定および／または後に続く測定結果の処理を設定するため、設定（ＣＯＮＦＩＧ）シグナリングをユーザデバイスに送出してもよい。
【００５７】
ＮＲのようなビームベースのシステムでは、過度なスタティックダウンリンク参照シグナリングを回避するのが望ましいので、ネットワークは、必要なときのみ、例えば所与のネットワーク領域でＵＥが見出されたとき、または関連する候補ビームの場合のみＵＥ固有の方式で、特別なモビリティ参照信号（ＭＲＳ）をオンにしてもよい。これは周期的に行われてもよく、またはＵＥに対するビームの更新が必要であるとネットワークが判断したとき、例えばサービングビームの品質の低下が検出されたときに行われてもよい。活性化された各ビームは、ビーム識別情報を保持するＭＲＳを送信する。
【００５８】
かかるシステムでは、様々なＭＲＳ測定および報告戦略が採用されてもよい。ＬＴＥのようなセットアップでは、ＵＥは、ＭＲＳの存在に関して、受信したサンプルストリームを継続的に監視してもよい。何らかのイベント基準が満たされた場合、例えば閾値を超える信号品質を有するいずれかのＭＲＳが検出されると、ＵＥは、受信ビームＩＤおよび信号品質をネットワークに報告する。
【００５９】
例えば、報告は、モビリティの決定、ならびに／あるいはアクセスノードおよび／またはビーム分解能レベルにおける、自動隣接関係（ＡＮＲ）データベースの構築に使用されてもよい。代替の５Ｇスタイルのセットアップでは、ネットワークは、例えば、サービングリンクの品質を低下させるとき、またはモビリティ測定を開始する別の理由が特定されたとき、制御シグナリングを介して測定コマンドを送信することによって、ＭＲＳ測定を始動する。測定コマンドは、報告命令を含んでもよく、場合によっては、測定するＭＲＳの明示的なリストを含んでもよい。サービングおよび／または他の候補アクセスノードは、ＵＬで測定報告を受信するためにアップリンクリソースを確保してもよい。
【００６０】
図３を再び参照すると、可能な例示の、ただし非限定的な使用例は、第１のネットワークノード１１０に接続され、そのノードが特定のビームでサーブする、ユーザデバイス１２０を伴ってもよい。例えば、通信を妨げることがあり、その移動が１つまたは複数のイメージセンサ１１５によって捕捉される障害物１２５により、無線伝播特性の変化が予測されてもよく、ビームスイッチが望ましいことがある。例として、障害物１２５が考慮されるユーザデバイス１２０に対する無線シグナリングを阻害するかまたは少なくとも妨げるであろうと予測された場合、同じかまたはより一般的には別のネットワークノード１１０における別のビームに対するモビリティ参照信号を活性化するように決定されてもよい。また、同じまたは別のネットワークノード１１０において、１つもしくは複数のビームに対してより高頻度であるいは別の無線周波数で、ＭＲＳ測定を実施するように、ならびに／あるいは測定結果の処理において新しい閾値および／またはタイマーを使用するように、決定されてもよい。
【００６１】
図６は、一実施形態による、無線通信システムにおける無線リソース管理を実施する方法の一例を示す概略フロー図である。無線通信システムは、少なくとも１つのユーザデバイスにサーブする指向性ビームを使用するように適合される。
【００６２】
基本的に、方法は、
Ｓ１：無線通信システムの少なくとも１つのネットワークノードにおける無線カバレッジエリアの少なくとも一部を監視する少なくとも１つのイメージセンサから、画像情報を取得することと、
Ｓ２：無線通信システムのネットワークノードとユーザデバイスとの間の無線伝播特性の変化を予測するため、取得した画像情報を処理することと、
Ｓ３：無線伝播特性の予測した変化に基づいて、無線通信システムにおける少なくとも１つの指向性ビームに対するモビリティ参照信号を制御すること、ならびに／あるいはモビリティ参照信号の測定を設定すること、ならびに／あるいはモビリティ参照信号の測定による測定結果の報告および／または処理を設定することと、を含む。
【００６３】
このように、指向性ビームを使用して、現在の無線通信システムにおける無線リソース管理を改善することが可能である。利益の例としては、最適化された測定およびシグナリング、ならびにブロッキングなどのイベントが発生する前に実行する積極的な無線リソース管理の可能性が挙げられる。
【００６４】
当然ながら、ＲＲＭ決定および／または動作に関する画像情報入力を、無線に関連する測定を含む、無線通信システムからの追加の入力と組み合わせることが可能であってもよいが、提案される技術の利点の１つは、少なくとも部分的に、画像情報入力が「独立した」情報ソースに、つまり無線通信システムの関連エリアに存在するカメラなど、１つもしくは複数のイメージセンサに由来するものであるという事実による。
【００６５】
図７は、一実施形態による、取得した画像情報を処理するステップの一例を示す概略フロー図である。この例では、ネットワークノードとユーザデバイスとの間の無線伝播特性の変化を予測するため、取得した画像情報を処理するステップは、
Ｓ２−１：ユーザデバイスと無線カバレッジエリアにある少なくとも１つの障害物との間の相対移動、および／またはユーザデバイスとネットワークノードとの間の相対移動を推定することと、
Ｓ２−２：推定した相対移動に基づいて、無線伝播特性の変化を予測することと、を含む。
【００６６】
例えば、画像特徴認識などの画像処理のアルゴリズムは、車両、歩行者、および他の障害物を検出するのに使用されてもよい。無線通信における人による阻害を予測するカメラの使用に関するより多くの情報については、例えば、Yuta Ogumaらによる文献、Proactive Base Station Selection Based on Human Blockage Prediction Using RGB-D Cameras for mmWave Communications, 2015 IEEE Global Communications Conference (GLOBECOM), December 6, 2015を参照することができる。
【００６７】
図８は、一実施形態による、モビリティ参照信号を制御するステップの一例を示す概略フロー図である。この例では、モビリティ参照信号を制御するステップＳ３−Ａは、
Ｓ３−Ａ−１Ａ：モビリティ参照信号をオンオフすること、および／または、
Ｓ３−Ａ−１Ｂ：モビリティ参照信号の送信を制御すること、を含む。
【００６８】
図９は、一実施形態による、モビリティ参照信号の測定を設定するステップの一例を示す概略フロー図である。この例では、モビリティ参照信号の測定を設定するステップＳ３−Ｂは、周波数および／または時間の測定を設定することＳ３−Ｂ−１を含む。
【００６９】
図１０は、一実施形態による、モビリティ参照信号の測定による測定結果の報告および／または処理を設定するステップの一例を示す概略フロー図である。この例では、測定結果の報告および／または処理を設定するステップＳ３−Ｃは、報告および／または測定閾値および／またはタイマーを設定することＳ３−Ｃ−１を含む。
【００７０】
例として、画像情報は、無線通信システムの無線カバレッジエリアの少なくとも一部を監視する複数のイメージセンサから取得されてもよい。
【００７１】
図１１は、一実施形態による、取得した画像情報を処理するステップの別の一例を示す概略フロー図である。この特定の例では、無線伝播特性の変化を予測するため、取得した画像情報を処理するステップＳ２は、
Ｓ２−１１：複数のイメージセンサから取得した画像情報に基づいて、無線カバレッジエリアまたはその少なくとも一部に関連する環境の画像ベースの地理空間的モデルを動的に生成することと、
Ｓ２−１２：無線カバレッジエリアまたはその少なくとも一部と関連付けられた無線リソース管理に関連する情報を生成することと、
Ｓ２−１３：ネットワークノードとユーザデバイスとの間の無線伝播特性の変化を予測するため、環境の地理空間的モデルからの情報および無線リソース管理に関連する情報を処理することと、を含む。
【００７２】
例として、無線リソース管理に関する情報は、環境の地理空間的モデルの上位に無線リソース管理関連情報のレイヤとして生成されてもよい。
【００７３】
図１２は、一実施形態による、制御情報を生成し、かかる制御情報をネットワークノードおよび／またはユーザデバイスに任意に転送する一例を示す概略フロー図である。
【００７４】
この例では、無線通信システムにおける少なくとも１つの指向性ビームに対するモビリティ参照信号を制御することＳ３−Ａ、ならびに／あるいはモビリティ参照信号の測定を設定することＳ３−Ｂ、ならびに／あるいは測定結果の報告および／または処理を設定することＳ３−Ｃは、
Ｓ３−１１：無線伝播特性の予測した変化に基づいて、無線通信システムの少なくとも１つの指向性ビームに対するモビリティ参照信号を制御する、ならびに／あるいはモビリティ参照信号の測定を設定する、ならびに／あるいは測定結果の報告および／または処理を設定する、制御情報を生成することと、
Ｓ３−１２：任意に、制御情報がどこで生成されるか、また制御情報がどのエンティティで適用されるべきかに応じて、生成した制御情報をネットワークノードおよび／またはユーザデバイスに転送することと、を含む。
【００７５】
一般に、イメージセンサは無線通信システムの少なくとも１つのネットワークノードと接続して配置されてもよく、ならびに／あるいはイメージセンサはネットワークノードと統合されてもよい。
【００７６】
例として、方法は、無線通信システムと関連付けられたネットワークユニット、例えばネットワークノードまたはネットワークデバイスによって、実施されてもよい。
【００７７】
以下、特定の非限定例を参照して、提案する技術について記載する。
【００７８】
例えば、カメラなどのイメージセンサは、アクセスポイントもしくは基地局に、またはアクセスポイントもしくは基地局のカバレッジエリアの一部を監視するのに適した別個の位置に配置されてもよい。イメージセンサから抽出した情報は、無線システムにおけるＲＲＭの機能性を支援するのに使用されてもよい。
【００７９】
したがって、画像情報に基づいて歩行者もしくは車両によって、または局（ＳＴＡ）もしくはユーザ機器（ＵＥ）が移動して見通し線を外れることによって、送信がすぐに阻害または妨害されるであろうことを予測することが可能であり、つまり積極的なＲＲＭ決定および／または動作を行うことができる。積極的なＲＲＭ決定および／または動作は、モビリティ参照信号の制御および／または関連動作を指してもよいが、任意に、既存の無線リンクに集約することができる新無線リンクを有するＵＥを設定することも指してもよい。例えば、積極的なＲＲＭ決定は、１つまたは複数の追加の参照信号を監視するか、または測定を適用／報告するように、ＵＥを再設定することによって準備されてもよい。また、ＲＲＭ閾値およびタイマーは、ＲＲＭ決定に対してより高速または良好に作用することができるように、再調整されてもよい。
【００８０】
従来のＲＲＭメカニズムは、どの基地局にユーザ機器を接続すべきかを含む、どの無線リソースを使用するかの決定を行うため、ユーザ機器および基地局で実施される測定に依存する。高速のＲＲＭ決定を行うために、頻繁に測定を実施する必要があり、決定を行うノードに、一般的にはユーザ機器から基地局に、結果をシグナリングする必要がある。これは無線リソースおよびエネルギーの両方を消費する。
【００８１】
情報の少なくとも一部が、例えばネットワークノードの（もしくはそれに近い）センサから、画像処理を介して取得されるカメラ支援ＲＲＭシステムでは、無線インターフェースを通じてシグナリングを行わなくても、障害物および他のユーザに対するユーザ移動の正確な推定を実施することができる。また、本質的に反応性である測定のみに依存するメカニズムとは対照的に、障害物による阻害などの状況をそれが起こる前に予測することが可能である。
【００８２】
一例では、１つまたは複数のイメージセンサは、ＮＲ基地局など、１つまたは複数のネットワークノードのカバレッジエリアの部分を監視できるように配置される。以下、３ＧＰＰ  ＮＲ技術を一例として使用するが、与えられる概念は、例えばＩＥＥＥ  ８０２．１１ａｙなど、他の類似の無線技術にも同じく良好に適用することができる。一般的に、センサは、基地局または遠隔無線ヘッドに配置されるが、タスクに適した別個の位置に配置することもできる。
【００８３】
例えば、センサ情報は、例えば、基地局などのアクセスネットワークにおけるネットワークノードで、またはコアネットワークもしくはクラウドベースのネットワークデバイスにおけるネットワークノードで、画像処理を実施することができるノードに収集されてもよい。ユーザ、障害物、および物理的環境に関する情報は、画像処理を介して抽出されてもよく、情報は、無線ネットワークにおけるＲＲＭ決定および／または動作を支援するのに使用される。単純な例では、画像処理は、基地局で実施され、基地局によって行われるＲＲＭ決定／動作を支援するのに使用されるが、示されるように、情報は、集中決定を行うために、１つもしくは複数の隣接基地局に、または中央ノードに転送することもできる。
【００８４】
いくつかの実施形態では、画像処理は、オブジェクト／パターン／ＩＤなどを検出することができる。一例として、オブジェクト／パターンは車を指してもよく、ＩＤはライセンスプレートを指してもよい。実施形態の１つでは、オブジェクト／パターン／ＩＤ情報は、更なる処理のためにクラウドストレージに供給することができる。オブジェクト／パターン／ＩＤ情報を既に格納されているコネクティビティ情報に合致させることができる場合、合致した情報をＲＲＭ決定に使用することができる。最も単純な形態では、コネクティビティ情報はＵＥ識別情報を指す。いくつかの実施形態では、クラウド処理はローカル、例えば基地局内であってもよく、または他の場合には、異なるネットワークノードの間でデータ交換を必要とする集中化が可能である。
【００８５】
いくつかの実施形態では、画像処理データおよび無線データ、例えばＵＥ測定／ビーム固有データは、ローカルで、または別のノード／クラウドから反復的に収集し、ＵＥを特定し追跡するように処理することができる。更に、ＵＥ測定報告は、システムに既に存在している情報をＵＥのスケジューリングに再使用できる場合、エアインターフェースに対する負荷を最小限に抑えるように再設定されてもよい。
【００８６】
実施形態の１つでは、画像情報に基づいて、歩行者または車両（例えば、バスもしくは列車）によって送信がすぐに阻害されるであろうことが予測され、つまり、積極的なＲＲＭ設定が必要である。実施形態の１つでは、ＣＳＩ−ＲＳなどのモビリティ参照信号を、画像情報に基づいてネットワークによって、適切なパラメータ（期間、帯域幅、対応している固有リンクの数など）にしたがって、動的にオンオフおよび／または設定することができる。
【００８７】
更なる実施形態では、ＵＥは、ＣＳＩ−ＲＳなどの追加の参照信号を監視、ならびに／あるいはＲＳＲＰ、ＲＳＲＱ、およびＣＳＩなどの更なる測定を適用／報告するように設定することができる。再設定された測定は、時間および／または周波数の点でより高頻度であることができ、ならびに／あるいは測定を行うより多くの搬送周波数および／または追加のビーム／セル／ＴＲＰを含むことができる。更に、ＲＲＭに関連する閾値およびタイマー（例えば、無線リンク不良もしくはハンドオーバの場合）は、セッションドロップまたは中断を積極的に回避できるように調整することができる。
【００８８】
実施形態の１つでは、ＵＥは、追加の無線リンクを用いて、例えばデュアルコネクティビティ（ＤＣ）またはキャリアアグリゲーション（ＣＡ）技術を用いて、冗長／ダイバーシティリンクを既存の無線リンクセットに集約できるように設定されてもよい。例えば、ＵＥは、例えばより低周波数のものである、セル／ビームを集約することができ、ならびに／あるいはセカンダリノードを用いて設定することができる。文献で指定されている協調マルチポイント（ＣｏＭＰ）送信／受信技術も、リンク集約に関して検討することができる。ここで、集約は、両方のリンクが同時に使用される場合のみを指すのではなく、設定されると、交換可能に使用することもできる（例えばＲＲＣによる、ハンドオーバもしくはより高次レイヤの設定を要しない）。
【００８９】
ＲＲＭ決定の別の例はビーム調整である。この場合、環境の変化の影響が最小限に抑えられるように、サービングビームを調整（縮小／拡張）することができる。
【００９０】
実施形態の１つでは、高速移動するオブジェクト、例えば車または列車は、予測される将来の瞬間に一時的にＵＥを阻害する。阻害時間が短いと予測される場合、高速モビリティ決定を始動する必要はない。対照的に、ＵＥおよびネットワークは、不必要なビーム調整、ＣＡ／ＤＣセットアップ、（ピンポン）ハンドオーバ（即ち、最初に別のノード／セル／ビームへのハンドオーバ、次に最初のノード／セル／ビームに戻るハンドオーバ）を回避することによって利益を得るであろう。
【００９１】
一実施形態では、ＲＲＭ決定、例えば、ＮＲなどのビームベースのシステムにおけるスケジューリング、ＣＡ／ＤＣセットアップ、ハンドオーバ、またはＣｏＭＰ設定を実施するために、測定のための参照信号が、多数のビームにおいてターゲットセルで送信されて、ユーザ機器はそれらを検出し、どのビームにサーブすべきかをネットワークに示すことができる。カメラ／イメージセンサから抽出した情報を使用することによって、モビリティ参照信号の送信を、送信周波数に関して、またどのビームで送信されるかに関して最適化することができる。これにより、参照信号の量が限定された高速ＲＲＭ決定を送信する必要があることが担保されるであろう。ここで、モビリティ参照信号はＳＳ／ＣＳＩ−ＲＳ信号を指してもよく、測定はＲＳＲＰ、ＲＳＲＱ、およびＣＳＩを指してもよい。
【００９２】
更に別の実施形態では、ＲＲＭアルゴリズムによって利用される映像イメージからの情報を転送するのに、新しい制御シグナリングが必要である。最も単純な事例では、カメラは基地局にローカルで配置され、画像処理はローカルまたは遠隔のどちらかで行われる。他の事例では、映像／画像ソース自体は無線であってもよく、情報をＲＲＭアルゴリズムに通信するのに同じ無線インターフェースを使用してもよい。映像処理から受信する情報は、例えば、
可能性があるＵＥの位置、
ＵＥの移動の情報（方向、速度）、
可能性がある阻害オブジェクトの位置、
可能性がある阻害オブジェクトのサイズ、
阻害オブジェクトの移動の情報（方向、速度）、を含んでもよい。
【００９３】
地理空間的情報を有する映像ストリームデータのクラウド処理
いくつかの実施形態では、画像処理は、基地局（または無線アクセスポイント）で直接行われないが、画像データはクラウド環境に転送（例えば、ストリーミング）されて処理されてもよい。データ解析に基づいて、クラウド環境は、ＮＲ基地局などの関連ネットワークノードにフィードバックを提供する。この方策の利益は、画像処理が基地局からオフロードされることである。場合によっては、環境の共通のモデルまたはビューを生成するために、複数の無線アクセスポイントからのストリームが組み合わされる。
【００９４】
例えば、データ／映像ストリームは、都市エリアにおける複数の基地局から組み合わされてもよい。データは、任意のクラウドノードおよび／またはシステムが分散または集中化されてもよいことに留意して、リアルタイムでクラウド環境にストリーミングされる。リアルタイム映像処理に基づいて、クラウドシステムは、イベントが実現される前に、環境で起こるイベントを予測してもよい。以下、一例として集中化クラウドノード／システムについて考察する。例えば、バスが都市エリアを移動しており、基地局が映像フィードを集中化システムに送出しており、他の２つの基地局が高い建物によって阻害されており、したがって（間接的な信号伝播を用いても）バス内部のＵＥにアクセスすることができない。集中化システムは、（静止オブジェクトが移動していないので）環境の３Ｄ図を生成し、バスの移動パターンと３Ｄモデルから、無線環境がバス内部のユーザおよびバス外部の他のユーザにとってどのように変化するかを予測してもよい。したがって、集中化システムは、例えば、ＵＥ（または上述した他のパラメータ）をまだ認識していない基地局に対して、ＵＥモビリティ情報を既に準備してもよい。集中化ユニットで作成したモデルは、ユーザの測定値およびモビリティデータと組み合わされて、モデルの精度を向上してもよい。集中化ユニットはまた、映像ストリームおよび／または無線パラメータを含むシステム挙動形態のマルチパラメータ入力を予測する、機械学習アルゴリズムを使用してもよい。
【００９５】
一実施形態の上述の説明では、基地局からではない映像ストリームを使用することも可能であってもよい。集中化システムは、この支援映像を使用してモデル（例えば、環境からの３Ｄモデル）を作成し、ＲＲＭ関連情報のレイヤをモデルの上位に作成してもよい。リアルタイムモデルおよび無線情報とともに、集中化システムは、ＵＥ測定の準備、または上述したようなＲＲＭ動作ならびにハンドオーバに対するＵＥ準備など、ネットワークにおける予測決定を行ってもよい。
【００９６】
また、別の実施形態では、集中化システムは、都市エリア全体の基地局からのデータを組み込んでもよく、ならびに都市エリア全体からのストリームを含んでもよい。一実施形態では、基地局は、映像ストリームをクラウドノード（分散または集中化）に転送し、クラウドノードは、基地局によって提供される地理空間的データとともに映像ストリームを受信する。別の実施形態では、クラウドノードは、複数の映像ストリームを地理空間的データと組み合わせて、環境の３Ｄ図を生成する。
【００９７】
いくつかの実施形態では、映像解析は環境の素材を予測するのに使用される。いくつかの事例では、映像モデルおよび素材映像解析からの組み合わされた情報をこの情報に使用して、基地局またはアクセスポイントにおけるアンテナ素子の方向を修正することができる。
【００９８】
例えば、静的モデルの精度を改善するメカニズムは、映像ストリームを送出している基地局間の距離を測定するものである。映像ストリームを組み合わせるとき、（例えば、三点法を使用することによって）モデルに対して補正を行うことができる。
【００９９】
いくつかの実施形態では、基地局測定値は、映像解析から作成されたモデルと組み合わされてもよい。基地局測定値に地理空間的情報を付随させることができる。地理空間的座標が、測定データをモデルに結合するのに使用されてもよい。基地局は、潜在的に、ＵＥ測定値または基地局測定値を使用することができる。ＵＥ測定値を使用するとき、ＵＥの地理空間的情報が好ましくは格納される。測定値は、ダウンリンクまたはアップリンク、物理的レイヤ、または上位レイヤからの測定値であることができる。例示の測定値は上述の測定値（ＵＬ、ＣＳＩ、ＲＳＲＰ、ＲＳＲＱ、ＲＳＳＩ、ＵＬ  ＣＳＩ、ＣＱＩ）であることができる。
【０１００】
したがって、静的モデルおよび映像ストリームデータを地理空間的情報とともに使用することによって、ＵＥの動的移動を予測することが可能である。いくつかの実施形態では、静的モデルが作成された後にＵＥ挙動を予測することができる。
【０１０１】
本明細書に記載する方法および装置は、様々な手法で実装し、組み合わせ、再構成できることが認識されるであろう。
【０１０２】
例えば、実施形態は、ハードウェア、または適切な処理回路類によって実行されるソフトウェア、またはそれらの組み合わせの形で実装されてもよい。
【０１０３】
別の態様によれば、少なくとも１つのユーザデバイスにサーブする指向性ビームを使用するように適合された、無線通信システムにおける無線リソース管理のシステムが提供される。システムは、無線通信システムの少なくとも１つのネットワークノードにおける無線カバレッジエリアの少なくとも一部を監視する少なくとも１つのイメージセンサから、画像情報を取得するように設定される。システムは、無線通信システムのネットワークノードとユーザデバイスとの間の無線伝播特性の変化を予測するため、取得した画像情報を処理するように設定される。システムはまた、無線伝播特性の予測した変化に基づいて、無線通信システムにおける少なくとも１つの指向性ビームに対するモビリティ参照信号を制御し、ならびに／あるいはモビリティ参照信号の測定を設定し、ならびに／あるいはモビリティ参照信号の測定による測定結果の報告および／または処理を設定するように設定される。
【０１０４】
本明細書に記載するステップ、機能、手順、モジュール、および／またはブロックは、汎用電子回路類および特定用途向け回路類の両方を含む、ディスクリート回路または集積回路技術などの任意の従来技術を使用して、ハードウェアの形で実装されてもよい。
【０１０５】
別の方法として、または補足として、本明細書に記載するステップ、機能、手順、モジュール、および／またはブロックの少なくともいくつかは、１つもしくは複数のプロセッサまたは処理装置などの適切な処理回路類によって実行されるコンピュータプログラムなど、ソフトウェアの形で実装されてもよい。
【０１０６】
図１３は、一実施形態による、無線リソース管理のシステムの非限定例を示す概略ブロック図である。この例では、システム２００は、プロセッサ２１０とメモリ２２０とを備え、メモリ２２０は、プロセッサ２１０によって実行されると、プロセッサに無線リソース管理を実施させる、命令を含む。
【０１０７】
処理回路類の例としては、１つもしくは複数のマイクロプロセッサ、１つもしくは複数のデジタル信号プロセッサ（ＤＳＰ）、１つもしくは複数の中央処理装置（ＣＰＵ）、ビデオアクセラレーションハードウェア、ならびに／あるいは１つもしくは複数のフィールドプログラマブルゲートアレイ（ＦＰＧＡ）、または１つもしくは複数のプログラマブル論理コントローラ（ＰＬＣ）など、任意の適切なプログラマブル論理回路類が挙げられるが、それらに限定されない。
【０１０８】
また、現在のグラフィック処理装置（ＧＰＵ）によって、低遅延画像処理をコモディティハードウェアで行うことが可能になっている。
【０１０９】
また、提案される技術が実装されたいずれかの従来デバイスもしくは装置の一般的な処理能力を再使用することが、可能であってもよいことが理解されるべきである。また、例えば、既存のソフトウェアの再プログラミングによって、または新しいソフトウェアコンポーネントを追加することによって、既存のソフトウェアを再使用することが可能であってもよい。
【０１１０】
例として、システムは、ユーザデバイスと無線カバレッジエリアにおける少なくとも１つの障害物との間の相対移動、および／またはユーザデバイスとネットワークノードとの間の相対移動の推定と、推定した相対移動に基づいた無線伝播特性の変化の予測とに基づいて、ネットワークノードとユーザデバイスとの間の無線伝播特性の変化を予測するため、取得した画像情報を処理するように設定されてもよい。
【０１１１】
例えば、システムは、モビリティ参照信号のオンオフ、および／またはモビリティ参照信号の送信の設定に基づいて、モビリティ参照信号を制御するように設定されてもよい。
【０１１２】
任意に、システムは、周波数および／または時間単位でモビリティ参照信号の測定を設定するように設定されてもよい。
【０１１３】
一例として、システムは、閾値および／もしくはタイマーの報告および／または測定の設定に基づいて、測定結果の報告および／または処理を設定するように設定されてもよい。
【０１１４】
適切であるかあるいは所望の場合、システムは、無線通信システムの無線カバレッジエリアの少なくとも一部を監視する複数のイメージセンサから、画像情報を取得するように設定されてもよい。
【０１１５】
特定の例では、システムは、複数のイメージセンサから取得した画像情報に基づいて、無線カバレッジエリアまたはその少なくとも一部に関連する環境の画像ベースの地理空間的モデルを動的に生成するように設定されてもよい。それに加えて、システムは、無線カバレッジエリアまたは少なくともその一部と関連付けられた無線リソース管理に関連する情報を生成するように設定されるとともに、ネットワークノードとユーザデバイスとの間の無線伝播特性の変化を予測するため、環境の地理空間的モデルからの情報および無線リソース管理に関連する情報を処理するように設定されてもよい。
【０１１６】
例えば、システムは、無線リソース管理に関連する情報を、環境の地理空間的モデルの上位に無線リソース管理関連情報のレイヤとして生成するように設定されてもよい。
【０１１７】
図１４は、一実施形態による、無線リソース管理のシステムの特定の一例を示す概略ブロック図である。この例では、システムは、地理空間的モデルを生成するモジュール２１１と、無線リソース管理に関連する情報を提供するＲＲＭモジュール２１２と、地理空間的モデルからの情報および無線リソース管理に関連する情報を処理する処理モジュール２１３とを備える。
【０１１８】
一般に、システムは、例として、無線伝播特性の予測した変化に基づいて、無線通信システムの少なくとも１つの指向性ビームに対するモビリティ参照信号を制御し、ならびに／あるいはモビリティ参照信号の測定を設定し、ならびに／あるいは測定結果の報告および／または処理を設定する、制御情報を生成するように設定されてもよい。
【０１１９】
例えば、システムは、制御情報がどこで生成されるか、また制御情報がどのエンティティで適用されるべきかに応じて、生成した制御情報をネットワークノードおよび／またはユーザデバイスに転送するように設定されてもよい。
【０１２０】
上述したように、イメージセンサは無線通信システムの少なくとも１つのネットワークノードと接続して配置されてもよく、ならびに／あるいはイメージセンサはネットワークノードと統合されてもよい。
【０１２１】
図１５は、一実施形態による、無線リソース管理のシステムを備えるネットワークユニットの一例を示す概略ブロック図である。この例では、ネットワークユニット３００は、本明細書に記載するような無線リソース管理のシステム２００を備える。
【０１２２】
例として、ネットワークユニットは、図２および３を再び参照して、ネットワークノード１１０またはネットワークデバイス１５０であってもよい。
【０１２３】
例えば、ネットワークノード１１０は無線アクセスネットワークノードであってもよい。
【０１２４】
一例として、ネットワークデバイス１５０はクラウドベースのネットワークデバイスであってもよい。
【０１２５】
別の態様によれば、無線通信システムの無線リソース管理コントローラが提供される。無線通信システムは、少なくとも１つのユーザデバイスにサーブする指向性ビームを使用するように適合される。コントローラは、無線通信システムの無線カバレッジエリアの少なくとも一部を監視する少なくとも１つのイメージセンサからの画像情報に基づいて、無線通信システムにおける少なくとも１つの指向性ビームに対するモビリティ参照信号を制御するように適合され、ならびに／あるいはモビリティ参照信号の測定を設定するように適合され、ならびに／あるいはモビリティ参照信号の測定による測定結果の報告および／または処理を設定するように適合される。
【０１２６】
図１６は、一実施形態による、無線通信システムの無線リソース管理コントローラの一例を示す概略ブロック図である。この例では、無線リソース管理（ＲＲＭ）コントローラ４００は、プロセッサ４１０とメモリ４２０とを備え、メモリ４２０は、プロセッサ４１０によって実行されると、プロセッサに無線リソース管理コントローラの動作を実施させる、命令を含む。
【０１２７】
図１７は、一実施形態による、無線リソース管理コントローラを備えるネットワークユニットの一例を示す概略ブロック図である。この例では、ネットワークユニット３００は、本明細書に記載するような無線リソース管理コントローラ（ＲＲＭ）４００を備える。
【０１２８】
図１８は、一実施形態による、コンピュータ実装５００の一例を示す概略図である。この特定の例では、本明細書に記載されるステップ、機能、手順、モジュール、および／またはブロックの少なくともいくつかが、１つまたは複数のプロセッサ５１０を含む処理回路類によって実行される、メモリ５２０にロードされるコンピュータプログラム５２５；５３５に実装される。プロセッサ５１０およびメモリ５２０は、互いに相互接続されて、通常のソフトウェア実行ができるようにされる。任意の入出力デバイス５４０も、プロセッサ５１０および／またはメモリ５２０に相互接続されて、入力パラメータおよび／または結果として得られる出力パラメータなど、関連データの入力および／または出力ができるようにされてもよい。
【０１２９】
また、ハードウェアおよびソフトウェアの組み合わせに基づいて、解決策を提供することが可能である。実際のハードウェア・ソフトウェア間分割は、処理速度、実装コスト、および他の要件を含む多数の因子に基づいて、システム設計者が決定することができる。
【０１３０】
用語「プロセッサ」は、特定の処理、判定、または計算タスクを実施するのに、プログラムコードまたはコンピュータプログラム命令を実行することができる任意のシステムまたはデバイスとして、一般的な意味で解釈されるべきである。
【０１３１】
このように、１つまたは複数のプロセッサ５１０を含む処理回路類は、コンピュータプログラム５２５を実行したとき、本明細書に記載するものなどの明確な処理タスクを実施するように設定される。
【０１３２】
特定の態様では、実行されると、少なくとも１つのユーザデバイスにサーブする指向性ビームを使用するように適合された、無線通信システムにおける無線リソース管理を実施する、コンピュータプログラム５２５；５３５が提供される。コンピュータプログラム５２５；５３５は命令を含み、命令は、少なくとも１つのプロセッサ５１０によって実行されると、少なくとも１つのプロセッサに、
無線通信システムの少なくとも１つのネットワークノードにおける無線カバレッジエリアの少なくとも一部を監視する少なくとも１つのイメージセンサから、画像情報を取得させ、
無線通信システムのネットワークノードとユーザデバイスとの間の無線伝播特性の変化を予測するため、取得した画像情報を処理させ、
無線伝播特性の予測した変化に基づいて、無線通信システムの少なくとも１つの指向性ビームに対するモビリティ参照信号を制御する、ならびに／あるいはモビリティ参照信号の測定を設定する、ならびに／あるいはモビリティ参照信号の測定による測定結果の報告および／または処理を設定する、制御情報を生成させる。
【０１３３】
処理回路類は、上述したステップ、機能、手順、および／またはブロックのみを実行する専用のものにする必要はなく、他のタスクも実行してもよい。
【０１３４】
提案される技術はまた、電子信号、光信号、電磁信号、磁気信号、電気信号、無線信号、マイクロ波信号、またはコンピュータ可読記憶媒体のうちの１つである、コンピュータプログラムを含むキャリアを提供する。
【０１３５】
例として、ソフトウェアまたはコンピュータプログラム５２５；５３５は、通常はコンピュータ可読媒体５２０；５３０に、特に不揮発性媒体に保持または格納される、コンピュータプログラム製品として実現されてもよい。コンピュータ可読媒体は、読出し専用メモリ（ＲＯＭ）、ランダムアクセスメモリ（ＲＡＭ）、コンパクトディスク（ＣＤ）、デジタル多目的ディスク（ＤＶＤ）、ブルーレイディスク、ユニバーサルシリアルバス（ＵＳＢ）メモリ、ハードディスクドライブ（ＨＤＤ）記憶デバイス、フラッシュメモリ、磁気テープ、または他のいずれかの従来のメモリデバイスを含むがそれらに限定されない、１つもしくは複数の取外し可能または取外し不能のメモリデバイスを含んでもよい。したがって、コンピュータプログラムは、処理回路類によって実行するため、コンピュータまたは等価の処理デバイスの動作中のメモリにロードされてもよい。
【０１３６】
本明細書に提示されるフロー図または図面は、１つまたは複数のプロセッサによって実施されるとき、コンピュータフロー図または図面として見なすことができる。対応する装置は、一群の機能モジュールとして規定されてもよく、プロセッサによって実施される各ステップが１つの機能モジュールに対応する。この場合、機能モジュールは、プロセッサ上で稼動するコンピュータプログラムとして実装される。
【０１３７】
このように、メモリに常駐するコンピュータプログラムは、プロセッサによって実行されたとき、本明細書に記載するステップおよび／またはタスクの少なくとも一部を実施するように設定された、適切な機能モジュールとして組織されてもよい。
【０１３８】
図１９は、無線通信システムにおける無線リソース管理を実施する装置の一例を示す概略図である。無線通信システムは、少なくとも１つのユーザデバイスにサーブする指向性ビームを使用するように適合される。装置６００は、
無線通信システムの少なくとも１つのネットワークノードにおける無線カバレッジエリアの少なくとも一部を監視する少なくとも１つのイメージセンサから、画像情報を取得する入力モジュール６１０と、
無線通信システムのネットワークノードとユーザデバイスとの間の無線伝播特性の変化を予測するため、取得した画像情報を処理する処理モジュール６２０と、
無線伝播特性の予測した変化に基づいて、無線通信システムの少なくとも１つの指向性ビームに対するモビリティ参照信号を制御する、ならびに／あるいはモビリティ参照信号の測定を設定する、ならびに／あるいはモビリティ参照信号の測定による測定結果の報告および／または処理を設定する、制御情報を生成する制御モジュール６３０と、を備える。
【０１３９】
あるいは、図１９のモジュールを、主にハードウェアモジュールによって、または別の方法としてハードウェアによって、関連するモジュール間の適切な相互接続と共に、実現することが可能である。特定の例としては、１つまたは複数の適切に設定されたデジタル信号プロセッサおよび他の既知の電子回路、例えば、上述したような、専門の機能を実施する相互接続された離散的な論理ゲート、および／または特定用途向け集積回路（ＡＳＩＣ）が挙げられる。有用なハードウェアの他の例としては、入出力（Ｉ／Ｏ）回路類、ならびに／あるいは信号を受信および／または送出する回路類が挙げられる。ソフトウェア対ハードウェアの範囲は純粋に実装上の選択である。
【０１４０】
例として、「仮想」装置は、無線デバイスまたはネットワークノード（例えば、図２０に示される無線デバイスＱＱ１１０またはネットワークノードＱＱ１６０）で実現されてもよい。装置は、例えば、図６〜１２のいずれかを参照して、本明細書に記載される例示の方法、および場合によっては本明細書に開示される他の任意のプロセスまたは方法を実施するように動作可能である。また、図６〜１２のいずれかの方法は必ずしも図１９の装置のみによって実施されなくてもよいことが理解されるべきである。方法の少なくともいくつかの動作は、１つまたは複数の他のエンティティによって実施することができる。
【０１４１】
例えば、仮想装置は、１つもしくは複数のマイクロプロセッサまたはマイクロコントローラ、ならびにデジタル信号プロセッサ（ＤＳＰ）、専用デジタル論理などを含んでもよい、他のデジタルハードウェアを含んでもよい、処理回路類を備えてもよい。処理回路類は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように設定されてもよい。メモリに格納されたプログラムコードとしては、１つもしくは複数の電気通信および／またはデータ通信プロトコルを実行するプログラム命令、ならびにいくつかの実施形態において本明細書に記載される技術の１つもしくは複数を実施する命令が挙げられる。
【０１４２】
モジュールまたはユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路類、デバイス、モジュール、プロセッサ、メモリ、論理固体および／または離散的デバイス、コンピュータプログラムまたは命令を含んでもよい。
【０１４３】
リソースがネットワークを通じてリモート位置にサービスとして送達される、ネットワークノードおよび／またはサーバなど、コンピューティングサービス（ハードウェアおよび／またはソフトウェア）をネットワークデバイスに提供することは、ますます一般的になってきている。例として、これは、本明細書に記載されるような機能性を、１つもしくは複数の別個の物理的ノードまたはサーバに分配または再配置できることを意味する。機能性は、別個の物理的ノードに、即ちいわゆるクラウドに位置付けることができる、１つもしくは複数の共同で働く物理的および／または仮想マシンに、再配置または分配されてもよい。これは、クラウドコンピューティングとも呼ばれることがあり、ネットワーク、サーバ、記憶装置、アプリケーション、および一般のまたはカスタマイズされたサービスなど、構成可能な計算リソースのプールに対する、ユビキタスオンデマンドネットワークアクセスを可能にするモデルである。
【０１４４】
次のものを１つまたは複数含む、この文脈において有用であり得る仮想化の様々な形態がある。
ネットワークの機能性を統合化して、カスタマイズされたまたは総称的なハードウェアで稼動する仮想化ソフトウェアとする。これは、ネットワーク機能仮想化と呼ばれる場合がある。
別個のハードウェアで稼動するオペレーティングシステムを含む１つまたは複数のアプリケーションスタックを、単一のハードウェアプラットフォーム上で同じ場所に配置する。これは、システム仮想化またはプラットフォーム仮想化と呼ばれる場合がある。
ハードウェアおよび／またはソフトウェアリソースを、何らかの高度なドメインレベルのスケジューリングおよびコーディネーション技術を使用する目的で同じ場所に配置して、システムリソース利用を増加させる。これは、リソース仮想化、または集中型および協調型のリソースプーリングと呼ばれる場合がある。
【０１４５】
機能性をいわゆる総称的なデータセンタに集中させるのが望ましい場合が多いが、他のシナリオでは、実際には、ネットワークの異なる部分にわたって機能性を分配するのが有益なことがある。
【０１４６】
ネットワークデバイス（ＮＤ）は、一般に、ネットワークの他の電子デバイスと通信可能に接続されている電子デバイスとして見られてもよい。
【０１４７】
例として、ネットワークデバイスは、ハードウェア、ソフトウェア、またはそれらの組み合わせの形で実装されてもよい。例えば、ネットワークデバイスは、専用ネットワークデバイス、または汎用ネットワークデバイス、またはそれらの混合であってもよい。
【０１４８】
専用ネットワークデバイスは、ソフトウェアを実行して、本明細書に開示される特徴または機能の１つもしくは複数を提供するのに、カスタム処理回路および所有オペレーティングシステム（ＯＳ）を使用してもよい。
【０１４９】
汎用ネットワークデバイスは、本明細書に開示される特徴または機能の１つもしくは複数を提供するように設定されたソフトウェアを実行するのに、市販汎用（ＣＯＴＳ）プロセッサおよび標準ＯＳを使用してもよい。
【０１５０】
例として、専用ネットワークデバイスは、一般的には一連の１つもしくは複数のプロセッサを含む、処理または計算リソースを備えるハードウェア、物理ポートと呼ばれる場合がある、物理的ネットワークインターフェース（ＮＩ）、ならびにソフトウェアが格納された持続的機械可読記憶媒体を含んでもよい。物理的ＮＩは、ネットワークデバイスのハードウェアとして見られてもよく、そこを通して、例えば無線ネットワークインターフェースコントローラ（ＷＮＩＣ）を通して無線で、またはネットワークインターフェースコントローラ（ＮＩＣ）に接続された物理的ポートに対するケーブルのプラグインを通して、ネットワーク接続が行われる。動作中、ソフトウェアは、一連の１つまたは複数のソフトウェアインスタンスのインスタンス作成を行うように、ハードウェアによって実行されてもよい。各ソフトウェアインスタンス、およびそのソフトウェアインスタンスを実行するハードウェアの部分は、別個の仮想ネットワーク要素を形成してもよい。
【０１５１】
別の例として、汎用ネットワークデバイスは、例えば、一連の１つもしくは複数のプロセッサを、多くの場合はＣＯＴＳプロセッサを備えるハードウェア、ネットワークインターフェースコントローラ（ＮＩＣ）、ならびにソフトウェアが格納された持続的機械可読記憶媒体を含んでもよい。動作中、プロセッサは、ソフトウェアを実行して、１つまたは複数のアプリケーションの１つもしくは複数の組のインスタンス作成を行う。一実施形態は仮想化を実現しないが、代替実施形態は、例えば、仮想化層およびソフトウェアコンテナによって表される、異なる形態の仮想化を使用してもよい。例えば、１つのかかる代替実施形態は、オペレーティングシステムレベルの仮想化を実現し、その場合、仮想化層は、一連のアプリケーションの１つを実行するのにそれぞれ使用されてもよい複数のソフトウェアコンテナの作成を可能にする、オペレーティングシステムのカーネル（またはベースオペレーティングシステムで実行するシム）を表す。例示的な一実施形態では、各ソフトウェアコンテナ（仮想化エンジン、仮想プライベートサーバ、またはジェイルとも呼ばれる）は、ユーザ空間インスタンス（一般的に、仮想メモリ空間）である。これらのユーザ空間インスタンスは、互いに別個であってもよく、またオペレーティングシステムが実行されるカーネル空間とは別個であってもよく、所与のユーザ空間で稼動している一連のアプリケーションは、明示的に許容されない限り、他のプロセスのメモリにアクセスすることはできない。別のかかる代替実施形態は、完全仮想化を実現し、その場合、１）仮想化層がハイパーバイザ（仮想マシンモニタ（ＶＭＭ）と呼ばれる場合がある）を表すか、またはハイパーバイザがホストオペレーティングシステムの上層で実行され、２）ソフトウェアコンテナが、ハイパーバイザによって実行され、またゲストオペレーティングシステムを含んでもよい、仮想マシンと呼ばれる厳密に隔離されたソフトウェアコンテナの形態をそれぞれ表す。
【０１５２】
ハイパーバイザは、様々な仮想化インスタンスの作成および管理を担うソフトウェア／ハードウェアであり、場合によっては実際の物理的ハードウェアである。ハイパーバイザは、下層のリソースを管理し、それらを仮想化インスタンスとして提示する。ハイパーバイザが単一のプロセッサとして見えるように仮想化するものは、実際は、複数の別個のプロセッサを含んでもよい。オペレーティングシステムの観点から、仮想化インスタンスは、実際のハードウェアコンポーネントとして見える。
【０１５３】
仮想マシンは、物理的な仮想化されていないマシンで実行しているかのようにプログラムを稼動させる、物理的マシンのソフトウェア実装であり、アプリケーションは一般に、それらが「ベアメタル」ホスト電子デバイスで稼動しているのとは対照的に仮想マシンで稼動していることを知らないが、一部のシステムは準仮想化を提供し、それによってオペレーティングシステムまたはアプリケーションは、最適化目的での仮想化の存在に気づくことが可能になる。
【０１５４】
１つまたは複数のアプリケーションの１つまたは複数の組のインスタンス作成、ならびに実装される場合の仮想化層およびソフトウェアコンテナは、集合的にソフトウェアインスタンスと呼ばれる。アプリケーション、実装される場合の対応するソフトウェアコンテナ、およびそれらを実行するハードウェアの部分（その実行専用のハードウェア、および／またはソフトウェアコンテナが一時的に共有するハードウェアのタイムスライスとする）の各組は、別個の仮想ネットワーク要素を形成する。
【０１５５】
仮想ネットワーク要素は、仮想ネットワーク要素（ＶＮＥ）と同様の機能性を実施してもよい。このハードウェアの仮想化は、ネットワーク機能仮想化（ＮＦＶ）と呼ばれる場合がある。このように、ＮＦＶは、多くのネットワーク機器タイプを、業界標準の大容量サーバハードウェア、物理的スイッチ、およびデータセンタに位置することができる物理的記憶装置、ＮＤ、および顧客構内設備（ＣＰＥ）上へと統合するのに使用されてもよい。しかしながら、異なる実施形態は、ソフトウェアコンテナの１つまたは複数を異なるように実現してもよい。例えば、各ソフトウェアコンテナがＶＮＥに対応する実施形態が示されているが、代替実施形態は、ソフトウェアコンテナとＶＮＥのこの対応またはマッピングを、より微細な粒度のレベルで実現してもよく、ＶＮＥに対するソフトウェアコンテナの対応を参照して本明細書に記載される技術は、かかるより微細なレベルの粒度が使用される実施形態にも当てはまることが理解されるべきである。
【０１５６】
更に別の実施形態によれば、カスタム処理回路類／所有ＯＳとＣＯＴＳプロセッサ／標準ＯＳの両方を、ネットワークデバイスに、例えばネットワークデバイスＮＤ内のカードまたは回路基板に含む、混合ネットワークデバイスが提供される。かかる混合ネットワークデバイスの特定の実施形態では、専用ネットワークデバイスの機能性を実装するＶＭなどのプラットフォーム仮想マシン（ＶＭ）が、混合ネットワークデバイス中に存在するハードウェアに対して準仮想化を提供することができる。
【０１５７】
提案する技術は、一般に、現在の無線通信システムにおける効率的な無線リソース管理を提供するように適用可能である。特に、提案する技術は、いわゆるオーバーザトップ（ＯＴＴ）サービスを含む、無線ネットワーク内の様々なサービスを提供することを含む、特定の適用および通信のシナリオに適用されてもよい。例えば、提案される技術は、安全な通信の基礎を成すセキュリティコンテキストを提供してもよく、無線通信において関連するユーザデータおよび／もしくは制御データの転送および／または送信および／または受信を可能にし、ならびに／あるいはそれを含む。
【０１５８】
以下、図２０〜２６を参照して、一連の例示的で非限定的な実例について記載する。
【０１５９】
図２０は、いくつかの実施形態による、無線ネットワークの一例を示す概略図である。
【０１６０】
本明細書に記載する主題は、任意の適切な構成要素を使用する任意の適切なタイプのシステムで実現されてもよいが、本明細書に開示する実施形態は、図２０に示される例示の無線ネットワークなどの無線ネットワークに関連して記載する。単純にするため、図２０の無線ネットワークは、ネットワークＱＱ１０６、ネットワークノードＱＱ１６０およびＱＱ１６０ｂ、ならびにＷＤ  ＱＱ１１０、ＱＱ１１０ｂ、およびＱＱ１１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノードＱＱ１６０および無線デバイス（ＷＤ）ＱＱ１１０が更に詳細に図示されている。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【０１６１】
無線ネットワークは、任意のタイプの通信、電気通信、データ、移動体、および／または無線ネットワーク、もしくは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な２Ｇ、３Ｇ、４Ｇ、もしくは５Ｇ規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【０１６２】
ネットワークＱＱ１０６は、１つもしくは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間で通信できるようにする他のネットワークを含んでもよい。
【０１６３】
ネットワークノードＱＱ１６０およびＷＤ  ＱＱ１１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線もしくは無線接続のどちらかを介するデータおよび／または信号の通信を容易にするかもしくはそれに関与することができる、他の任意の構成要素またはシステムを含んでもよい。
【０１６４】
本明細書で使用するとき、ネットワークノードは、無線デバイスと、ならびに／あるいは無線デバイスへの無線アクセスを可能にする、および／または無線アクセスを提供する、および／または無線ネットワークにおける他の機能（例えば、管理）を実施する、無線ネットワーク内の他のネットワークノードもしくは機器と、直接もしくは間接的に通信することができる、通信するように構成された、通信するように配置された、ならびに／あるいは通信するように動作可能である、機器を指す。ネットワークノードの例としては、アクセスポイント（ＡＰ）（例えば、無線アクセスポイント）、基地局（ＢＳ）（例えば、無線基地局、ノードＢ、エボルブドノードＢ（ｅＮＢ）、および第５世代ノードＢ（ｇＮＢ））が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つまたは複数（もしくは全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、ポジショニングノード（例えば、Ｅ−ＳＭＬＣ）、ならびに／あるいはＭＤＴが挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線ネットワークにアクセスしている無線デバイスに何らかのサービスを提供できるようにすること、および／または無線ネットワークにアクセスしている無線デバイスに何らかのサービスを提供することが、可能である、そのように構成されている、そのように配置されている、ならびに／あるいはそれを可能にするように動作可能である、任意の適切なデバイス（またはデバイス群）を表してもよい。
【０１６５】
図２０では、ネットワークノードＱＱ１６０は、処理回路構成ＱＱ１７０と、デバイス可読媒体ＱＱ１８０と、インターフェースＱＱ１９０と、補助機器ＱＱ１８４と、電源ＱＱ１８６と、電源回路構成ＱＱ１８７と、アンテナＱＱ１６２とを含む。図２０の例示の無線ネットワークに示されるネットワークノードＱＱ１６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、機構、機能、および方法を実施するのに必要な、ハードウェアおよび／またはソフトウェアの任意の適切な組み合わせを含むことが理解されるべきである。更に、ネットワークノードＱＱ１６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体ＱＱ１８０は、複数の別個のハードドライブならびに複数のＲＡＭモジュールを備えてもよい）。
【０１６６】
同様に、ネットワークノードＱＱ１６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノードＱＱ１６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノードＱＱ１６０は、複数の無線アクセス技術（ＲＡＴ）に対応するように構成されてもよい。かかる実施形態では、いくつかの構成要素が重複してもよく（例えば、異なるＲＡＴに対して別個のデバイス可読媒体ＱＱ１８０）、いくつかの構成要素は再使用されてもよい（例えば、同じアンテナＱＱ１６２がＲＡＴによって共有されてもよい）。ネットワークノードＱＱ１６０はまた、例えば、ＧＳＭ、ＷＣＤＭＡ、ＬＴＥ、ＮＲ、ＷｉＦｉ、またはブルートゥース無線技術など、ネットワークノードＱＱ１６０に統合された異なる無線技術に関する複数組の様々な図示される構成要素を含んでもよい。これらの無線技術は、同じまたは異なるチップもしくはチップセット、およびネットワークノードＱＱ１６０内の他の構成要素に統合されてもよい。
【０１６７】
処理回路構成ＱＱ１７０は、ネットワークノードによって提供されるものとして本明細書に記載される、任意の決定、計算、または類似の動作（例えば、特定の取得動作）を実施するように構成される。処理回路構成ＱＱ１７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成ＱＱ１７０によって取得される情報を処理すること、ならびに前記処理の結果として決定を行うことを含んでもよい。
【０１６８】
処理回路構成ＱＱ１７０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のネットワークノードＱＱ１６０の構成要素（デバイス可読媒体ＱＱ１８０、ネットワークノードＱＱ１６０の機能性など）と併せて提供するように動作可能な、ハードウェア、ソフトウェア、および／または符号化論理の組み合わせのうち、１つもしくは複数のものの組み合わせを備えてもよい。例えば、処理回路構成ＱＱ１７０は、デバイス可読媒体ＱＱ１８０に、または処理回路構成ＱＱ１７０内のメモリに格納された命令を実行してもよい。かかる機能性は、本明細書で考察する様々な無線の機構、機能、または利益のいずれかを提供することを含んでもよい。かかる実施形態では、処理回路構成ＱＱ１７０はシステムオンチップ（ＳＯＣ）を含んでもよい。
【０１６９】
いくつかの実施形態では、処理回路構成ＱＱ１７０は、無線周波数（ＲＦ）送受信機回路構成ＱＱ１７２およびベースバンド処理回路構成ＱＱ１７４の１つまたは複数を含んでもよい。いくつかの実施形態では、無線周波数（ＲＦ）送受信機回路構成ＱＱ１７２およびベースバンド処理回路構成ＱＱ１７４は、別個のチップ（もしくはチップセット）、ボード、または無線ユニットおよびデジタルユニットなどのユニット上にあってもよい。代替実施形態では、ＲＦ送受信機回路構成ＱＱ１７２およびベースバンド処理回路構成ＱＱ１７４の一部または全ては、同じチップもしくはチップセット、ボード、またはユニットの上にあってもよい。
【０１７０】
特定の実施形態では、ネットワークノード、基地局、ｅＮＢ、または他のかかるネットワークデバイスによって提供されるものとして本明細書に記載する機能性の一部または全ては、デバイス可読媒体ＱＱ１８０または処理回路構成ＱＱ１７０内のメモリに格納された命令を実行する、処理回路構成ＱＱ１７０によって実施されてもよい。代替実施形態では、機能性の一部または全ては、ハードワイヤード方式などで、別個のまたは離散的なデバイス可読媒体に格納された命令を実行することなく、処理回路構成ＱＱ１７０によって提供されてもよい。それらの実施形態のいずれかにおいて、デバイス可読記憶媒体に格納された命令を実行するか否かにかかわらず、処理回路構成ＱＱ１７０は、記載される機能性を実施するように構成することができる。かかる機能性によって提供される利益は、処理回路構成ＱＱ１７０のみに、またはネットワークノードＱＱ１６０の他の構成要素に限定されず、ネットワークノードＱＱ１６０全体ならびに／あるいはエンドユーザおよび無線ネットワーク全般によって享受される。
【０１７１】
デバイス可読媒体ＱＱ１８０は、非限定的に、永続記憶装置、固体メモリ、リモート実装メモリ、磁気媒体、光学媒体、ランダムアクセスメモリ（ＲＡＭ）、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、および／または他の任意の揮発性もしくは不揮発性非一時的デバイス可読および／またはコンピュータ実行可能メモリデバイスを含む、処理回路構成ＱＱ１７０によって使用されてもよい情報、データ、および／または命令を格納する、任意の形態の揮発性または不揮発性コンピュータ可読メモリを含んでもよい。デバイス可読媒体ＱＱ１８０は、論理、規則、符号、テーブルなどの１つもしくは複数を含むコンピュータプログラム、ソフトウェア、アプリケーションを含む、任意の適切な命令、データまたは情報、および／または処理回路構成ＱＱ１７０によって実行され、ネットワークノードＱＱ１６０によって利用され得る他の命令を格納してもよい。デバイス可読媒体ＱＱ１８０は、処理回路構成ＱＱ１７０によって行われる任意の計算、および／またはインターフェースＱＱ１９０を介して受信される任意のデータを格納するのに使用されてもよい。いくつかの実施形態では、処理回路構成ＱＱ１７０およびデバイス可読媒体ＱＱ１８０は、統合されたものと見なされてもよい。
【０１７２】
インターフェースＱＱ１９０は、ネットワークノードＱＱ１６０、ネットワークＱＱ１０６、および／またはＷＤ  ＱＱ１１０の間における、シグナリングならびに／あるいはデータの有線または無線通信で使用される。図示されるように、インターフェースＱＱ１９０は、例えば、有線接続を通じてネットワークＱＱ１０６との間でデータを送受信する、ポート／端子ＱＱ１９４を備える。インターフェースＱＱ１９０はまた、アンテナＱＱ１６２に、または特定の実施形態ではその一部に連結されてもよい、無線フロントエンド回路構成ＱＱ１９２を含む。無線フロントエンド回路構成ＱＱ１９２はフィルタＱＱ１９８および増幅器ＱＱ１９６を備える。無線フロントエンド回路構成ＱＱ１９２はアンテナＱＱ１６２および処理回路構成ＱＱ１７０に接続されてもよい。無線フロントエンド回路構成は、アンテナＱＱ１６２と処理回路構成ＱＱ１７０との間で通信される信号を調整するように構成されてもよい。無線フロントエンド回路構成ＱＱ１９２は、無線接続を介して他のネットワークノードまたはＷＤに対して送出されるべきである、デジタルデータを受信してもよい。無線フロントエンド回路構成ＱＱ１９２は、フィルタＱＱ１９８および／または増幅器ＱＱ１９６の組み合わせを使用して、デジタルデータを、適切なチャネルおよび帯域幅パラメータを有する無線信号へと変換してもよい。無線信号は次に、アンテナＱＱ１６２を介して送信されてもよい。同様に、データを受信するとき、アンテナＱＱ１６２は無線信号を収集してもよく、それらは次に、無線フロントエンド回路構成ＱＱ１９２によってデジタルデータへと変換される。デジタルデータは処理回路構成ＱＱ１７０に渡されてもよい。他の実施形態では、インターフェースは、異なる構成要素および／または構成要素の異なる組み合わせを備えてもよい。
【０１７３】
特定の代替実施形態では、ネットワークノードＱＱ１６０は別個の無線フロントエンド回路構成ＱＱ１９２を含まなくてもよく、代わりに、処理回路構成ＱＱ１７０は、無線フロントエンド回路構成ＱＱ１９２を備えてもよく、別個の無線フロントエンド回路構成ＱＱ１９２なしでアンテナＱＱ１６２に接続されてもよい。同様に、いくつかの実施形態では、ＲＦ送受信機回路構成ＱＱ１７２の全てまたは一部はインターフェースＱＱ１９０の一部と見なされてもよい。更に他の実施形態では、インターフェースＱＱ１９０は、無線ユニット（図示なし）の一部として、１つもしくは複数のポートまたは端子ＱＱ１９４、無線フロントエンド回路構成ＱＱ１９２、およびＲＦ送受信機回路構成ＱＱ１７２を含んでもよく、インターフェースＱＱ１９０は、デジタルユニット（図示なし）の一部である、ベースバンド処理回路構成ＱＱ１７４と通信してもよい。
【０１７４】
アンテナＱＱ１６２は、無線信号を送出および／または受信するように構成された、１つもしくは複数のアンテナまたはアンテナアレイを含んでもよい。アンテナＱＱ１６２は、無線フロントエンド回路構成ＱＱ１９０に連結されてもよく、データおよび／または信号を無線で送受信することができる、任意のタイプのアンテナであってもよい。いくつかの実施形態では、アンテナＱＱ１６２は、例えば、２ＧＨｚ〜６６ＧＨｚの無線信号を送受信するように動作可能な、１つまたは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナＱＱ１６２は、ネットワークノードＱＱ１６０とは別個であってもよく、インターフェースまたはポートを通してネットワークノードＱＱ１６０に接続可能であってもよい。
【０１７５】
アンテナＱＱ１６２、インターフェースＱＱ１９０、および／または処理回路構成ＱＱ１７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナＱＱ１６２、インターフェースＱＱ１９０、および／または処理回路構成ＱＱ１７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【０１７６】
電力回路構成ＱＱ１８７は、電力管理回路構成を含むかまたはそれに連結されてもよく、ネットワークノードＱＱ１６０の構成要素に、本明細書に記載する機能性を実施する電力を供給するように構成される。電力回路構成ＱＱ１８７は電源ＱＱ１８６から電力を受信してもよい。電源ＱＱ１８６および／または電力回路構成ＱＱ１８７は、それぞれの構成要素に適した形態で（例えば、それぞれの構成要素に必要な電圧および電流レベルで）、ネットワークノードＱＱ１６０の様々な構成要素に電力を提供するように構成されてもよい。電源ＱＱ１８６は、電力回路構成ＱＱ１８７および／またはネットワークノードＱＱ１６０に含まれるか、あるいはその外部にあってもよい。例えば、ネットワークノードＱＱ１６０は、入力回路構成、または電気ケーブルなどのインターフェースを介して、外部電源（例えば、電気コンセント）に接続可能であってもよく、外部電源は電力を電力回路構成ＱＱ１８７に供給する。更なる例として、電源ＱＱ１８６は、電力回路構成ＱＱ１８７に接続されるかまたは統合される、電池もしくは電池パックの形態の電源の供給源を含んでもよい。電池は、外部電源が故障した場合のバックアップ電力を提供してもよい。光起電デバイスなど、他のタイプの電源も使用されてもよい。
【０１７７】
ネットワークノードＱＱ１６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図２０に示されるものを超える追加の構成要素を含んでもよい。例えば、ネットワークノードＱＱ１６０は、情報をネットワークノードＱＱ１６０に入力するのを可能にし、情報をネットワークノードＱＱ１６０から出力するのを可能にする、ユーザインターフェース機器を含んでもよい。これは、ネットワークノードＱＱ１６０に対する診断、保守、修理、および他の管理機能をユーザが実施するのを可能にしてもよい。
【０１７８】
本明細書で使用するとき、無線デバイス（ＷＤ）は、ネットワークノードおよび／または他の無線デバイスと無線で通信することができる、そのように構成されている、そのように配置されている、ならびに／あるいはそのように動作可能であるデバイスを指す。別段の記述がない限り、ＷＤという用語は、本明細書ではユーザ機器（ＵＥ）と交換可能に使用されてもよい。無線通信には、電磁波、電波、赤外線波、および／または空気を通して情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、モバイルフォン、携帯電話、ボイスオーバーＩＰ（ＶｏＩＰ）電話、無線ローカルループ電話、デスクトップコンピュータ、個人情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマ構内設備（ＣＰＥ）、車載型無線端末デバイスなどが挙げられるが、それらに限定されない。ＷＤは、例えば、サイドリンク通信の３ＧＰＰ規格を実現することによるデバイス間（Ｄ２Ｄ）通信、車車間（Ｖ２Ｖ）、路車間（Ｖ２Ｉ）、ビークルツーエブリシング（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、マシンツーマシン（Ｍ２Ｍ）デバイスであってもよい。１つの特定の例として、ＷＤは、３ＧＰＰ狭帯域の物のインターネット（ＮＢ−ＩｏＴ）規格を実現するＵＥであってもよい。かかる機械またはデバイスの特定の例は、センサ、電力計などの計量デバイス、工業用機械類、または家庭用もしくは個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【０１７９】
図示されるように、無線デバイスＱＱ１１０は、アンテナＱＱ１１１、インターフェースＱＱ１１４、処理回路構成ＱＱ１２０、デバイス可読媒体ＱＱ１３０、ユーザインターフェース機器ＱＱ１３２、補助機器ＱＱ１３４、電源ＱＱ１３６、および電力回路構成ＱＱ１３７を含む。ＷＤ  ＱＱ１１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  ＱＱ１１０が対応する異なる無線技術に対して、図示される構成要素のうち１つまたは複数のものの複数組を含んでもよい。これらの無線技術は、ＷＤ  ＱＱ１１０内の他の構成要素と同じもしくは異なるチップまたはチップセットに統合されてもよい。
【０１８０】
アンテナＱＱ１１１は、無線信号を送出および／または受信するように構成された、１つもしくは複数のアンテナまたはアンテナアレイを含んでもよく、インターフェースＱＱ１１４に接続される。特定の代替実施形態では、アンテナＱＱ１１１は、ＷＤ  ＱＱ１１０とは別個であってもよく、インターフェースまたはポートを通してＷＤ  ＱＱ１１０に接続可能であってもよい。アンテナＱＱ１１１、インターフェースＱＱ１１４、および／または処理回路構成ＱＱ１２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナＱＱ１１１は、インターフェースと見なされてもよい。
【０１８１】
図示されるように、インターフェースＱＱ１１４は無線フロントエンド回路構成ＱＱ１１２およびアンテナＱＱ１１１を備える。無線フロントエンド回路構成ＱＱ１１２は、１つまたは複数のフィルタＱＱ１１８および増幅器ＱＱ１１６を備える。無線フロントエンド回路構成ＱＱ１１４は、アンテナＱＱ１１１および処理回路構成ＱＱ１２０に接続され、アンテナＱＱ１１１と処理回路構成ＱＱ１２０との間で通信される信号を調整するように構成される。無線フロントエンド回路構成ＱＱ１１２は、アンテナＱＱ１１１に連結されるか、またはその一部であってもよい。いくつかの実施形態では、ＷＤ  ＱＱ１１０は、別個の無線フロントエンド回路構成ＱＱ１１２を含まなくてもよく、それよりもむしろ、処理回路構成ＱＱ１２０は、無線フロントエンド回路構成を備えてもよく、アンテナＱＱ１１１に接続されてもよい。同様に、いくつかの実施形態では、ＲＦ送受信機回路構成ＱＱ１２２の一部または全てはインターフェースＱＱ１１４の一部と見なされてもよい。無線フロントエンド回路構成ＱＱ１１２は、無線接続を介して他のネットワークノードまたはＷＤに対して送出されるべきである、デジタルデータを受信してもよい。無線フロントエンド回路構成ＱＱ１１２は、フィルタＱＱ１１８および／または増幅器ＱＱ１１６の組み合わせを使用して、デジタルデータを、適切なチャネルおよび帯域幅パラメータを有する無線信号へと変換してもよい。無線信号は次に、アンテナＱＱ１１１を介して送信されてもよい。同様に、データを受信するとき、アンテナＱＱ１１１は無線信号を収集してもよく、それらは次に、無線フロントエンド回路構成ＱＱ１１２によってデジタルデータへと変換される。デジタルデータは処理回路構成ＱＱ１２０に渡されてもよい。他の実施形態では、インターフェースは、異なる構成要素および／または構成要素の異なる組み合わせを備えてもよい。
【０１８２】
処理回路構成ＱＱ１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のＷＤ  ＱＱ１１０の構成要素（デバイス可読媒体ＱＱ１３０、ＷＤ  ＱＱ１１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の機構または利益のいずれかを提供することを含んでもよい。例えば、処理回路構成ＱＱ１２０は、デバイス可読媒体ＱＱ１３０に、または処理回路構成ＱＱ１２０内のメモリに格納された命令を実行して、本明細書に開示する機能性を提供してもよい。
【０１８３】
図示されるように、処理回路構成ＱＱ１２０は、ＲＦ送受信機回路構成ＱＱ１２２、ベースバンド処理回路構成ＱＱ１２４、およびアプリケーション処理回路構成ＱＱ１２６の１つまたは複数を含む。他の実施形態では、処理回路構成は、異なる構成要素および／または構成要素の異なる組み合わせを備えてもよい。特定の実施形態では、ＷＤ  ＱＱ１１０の処理回路構成ＱＱ１２０はＳＯＣを備えてもよい。いくつかの実施形態では、ＲＦ送受信機回路構成ＱＱ１２２、ベースバンド処理回路構成ＱＱ１２４、およびアプリケーション処理回路構成ＱＱ１２６は、別個のチップまたはチップセット上にあってもよい。代替実施形態では、ベースバンド処理回路構成ＱＱ１２４およびアプリケーション処理回路構成ＱＱ１２６の一部または全ては、１つのチップまたはチップセットに組み入れられてもよく、ＲＦ送受信機回路構成ＱＱ１２２は別個のチップまたはチップセット上にあってもよい。更なる代替実施形態では、ＲＦ送受信機回路構成ＱＱ１２２およびベースバンド処理回路構成ＱＱ１２４の一部または全てが、同じチップまたはチップセット上にあってもよく、アプリケーション処理回路構成ＱＱ１２６が別個のチップまたはチップセット上にあってもよい。更なる他の代替実施形態では、ＲＦ送受信機回路構成ＱＱ１２２、ベースバンド処理回路構成ＱＱ１２４、およびアプリケーション処理回路構成ＱＱ１２６の一部または全てが、同じチップまたはチップセットに組み入れられてもよい。いくつかの実施形態では、ＲＦ送受信機回路構成ＱＱ１２２はインターフェースＱＱ１１４の一部であってもよい。ＲＦ送受信機回路構成ＱＱ１２２は、処理回路構成ＱＱ１２０に対するＲＦ信号を調整してもよい。
【０１８４】
特定の実施形態では、ＷＤによって実施されるものとして本明細書に記載される機能性の一部または全ては、特定の実施形態ではコンピュータ可読記憶媒体であってもよい、デバイス可読媒体ＱＱ１３０に格納された命令を処理回路構成ＱＱ１２０が実行することによって提供されてもよい。代替実施形態では、機能性の一部または全ては、ハードワイヤード方式などで、別個のまたは離散的なデバイス可読記憶媒体に格納された命令を実行することなく、処理回路構成ＱＱ１２０によって提供されてもよい。これら特定の実施形態のいずれかにおいて、デバイス可読記憶媒体に格納された命令を実行するか否かにかかわらず、処理回路構成ＱＱ１２０は、記載される機能性を実施するように構成することができる。かかる機能性によって提供される利益は、処理回路構成ＱＱ１２０のみに、またはＷＤ  ＱＱ１１０の他の構成要素に限定されず、ＷＤ  ＱＱ１１０全体ならびに／あるいはエンドユーザおよび無線ネットワーク全般によって享受される。
【０１８５】
処理回路構成ＱＱ１２０は、ＷＤによって実施されるものとして本明細書に記載される、任意の決定、計算、または類似の動作（例えば、特定の取得動作）を実施するように構成されてもよい。処理回路構成ＱＱ１２０によって実施されるようなこれらの動作は、例えば、取得された情報を他の情報に変換すること、取得された情報または変換された情報をＷＤ  ＱＱ１１０によって格納された情報と比較すること、ならびに／あるいは取得された情報または変換された情報に基づいて１つもしくは複数の動作を実施することによって、処理回路構成ＱＱ１２０によって取得される情報を処理すること、ならびに前記処理の結果として決定を行うことを含んでもよい。
【０１８６】
デバイス可読媒体ＱＱ１３０は、１つもしくは複数の論理、規則、符号、テーブルなどを含む、コンピュータプログラム、ソフトウェア、アプリケーション、ならびに／あるいは処理回路構成ＱＱ１２０によって実行することができる他の命令を格納するように動作可能であってもよい。デバイス可読媒体ＱＱ１３０としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは、処理回路構成ＱＱ１２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成ＱＱ１２０およびデバイス可読媒体ＱＱ１３０は、統合されたものと見なされてもよい。
【０１８７】
ユーザインターフェース機器ＱＱ１３２は、人間のユーザがＷＤ  ＱＱ１１０と相互作用することを可能にする構成要素を提供してもよい。かかる相互作用は、視覚、聴覚、触覚など、多くの形態のものであってもよい。ユーザインターフェース機器ＱＱ１３２は、ユーザに対する出力を生成し、ユーザがＷＤ  ＱＱ１１０への入力を提供できるように動作可能であってもよい。相互作用のタイプは、ＷＤ  ＱＱ１１０にインストールされるユーザインターフェース機器ＱＱ１３２のタイプに応じて変わってもよい。例えば、ＷＤ  ＱＱ１１０がスマートフォンの場合、相互作用はタッチスクリーンを介してもよく、ＷＤ  ＱＱ１１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器ＱＱ１３２は、入力インターフェース、デバイス、および回路、ならびに出力インターフェース、デバイス、および回路を含んでもよい。ユーザインターフェース機器ＱＱ１３２は、ＷＤ  ＱＱ１１０への情報の入力を可能にするように構成され、処理回路構成ＱＱ１２０に接続されて、処理回路構成ＱＱ１２０が入力情報を処理するのを可能にする。ユーザインターフェース機器ＱＱ１３２は、例えば、マイクロフォン、近接センサもしくは他のセンサ、キー／ボタン、タッチディスプレイ、１つもしくは複数のカメラ、ＵＳＢポート、または他の入力回路構成を含んでもよい。ユーザインターフェース機器ＱＱ１３２はまた、ＷＤ  ＱＱ１１０からの情報の出力を可能にし、処理回路構成ＱＱ１２０が情報をＷＤ  ＱＱ１１０から出力するのを可能にするように構成される。ユーザインターフェース機器ＱＱ１３２は、例えば、スピーカー、ディスプレイ、振動回路構成、ＵＳＢポート、ヘッドフォンインターフェース、または他の出力回路構成を含んでもよい。ユーザインターフェース機器ＱＱ１３２の１つまたは複数の入力および出力インターフェース、デバイス、ならびに回路を使用して、ＷＤ  ＱＱ１１０は、エンドユーザおよび／または無線ネットワークと通信し、それらが本明細書に記載する機能性から利益を得ることを可能にしてもよい。
【０１８８】
補助機器ＱＱ１３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器ＱＱ１３４を含むこと、またその構成要素のタイプは、実施形態および／またはシナリオに応じて異なってもよい。
【０１８９】
電源ＱＱ１３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ＱＱ１１０は、本明細書に記載または示される任意の機能性を実施するのに電源ＱＱ１３６からの電力を必要とするＷＤ  ＱＱ１１０の様々な部分に、電源ＱＱ１３６から電力を送達する、電力回路構成ＱＱ１３７を更に備えてもよい。電力回路構成ＱＱ１３７は、特定の実施形態では、電力管理回路構成を含んでもよい。電力回路構成ＱＱ１３７は、それに加えてまたはその代わりに、外部電源から電力を受信するように動作可能であってもよく、その場合、ＷＤ  ＱＱ１１０は、入力回路構成、または電力ケーブルなどのインターフェースを介して、外部電源（電気コンセントなど）に接続可能であってもよい。電力回路構成ＱＱ１３７はまた、特定の実施形態では、外部電源から電源ＱＱ１３６に電力を送達するように動作可能であってもよい。これは、例えば、電源ＱＱ１３６を充電するものであってもよい。電力回路構成ＱＱ１３７は、電源ＱＱ１３６からの電力に対して任意のフォーマット化、変換、または他の修正を実施して、電力が供給されるＷＤ  ＱＱ１１０のそれぞれの構成要素に適した電力にしてもよい。
【０１９０】
図２１は、本明細書に記載する様々な態様による、ＵＥの一実施形態の一例を示す概略図である。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ＱＱ２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって特定される任意のＵＥであってもよい。図２１に示されるようなＵＥ  ＱＱ２００は、３ＧＰＰのＧＳＭ、ＵＭＴＳ、ＬＴＥ、および／または５Ｇ規格など、第３世代パートナーシッププロジェクト（３ＧＰＰ）によって普及される１つまたは複数の通信規格にしたがった通信向けに構成されたＷＤの一例である。上述したように、ＷＤおよびＵＥという用語は交換可能に使用されてもよい。したがって、図２１はＵＥであるが、本明細書で考察する構成要素はＷＤに等しく適用可能であり、その逆もまた真である。
【０１９１】
図２１では、ＵＥ  ＱＱ２００は、入出力インターフェースＱＱ２０５、無線周波数（ＲＦ）インターフェースＱＱ２０９、ネットワーク接続インターフェースＱＱ２１１、メモリＱＱ２１５（ランダムアクセスメモリ（ＲＡＭ）ＱＱ２１７、読出し専用メモリ（ＲＯＭ）ＱＱ２１９、および記憶媒体ＱＱ２２１などを含む）、通信サブシステムＱＱ２３１、電源ＱＱ２３３、および／または他の任意の構成要素、あるいはそれらの任意の組み合わせに動作可能に連結された、処理回路構成ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１は他の類似のタイプの情報を含んでもよい。特定のＵＥは、図２１に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【０１９２】
図２１では、処理回路構成ＱＱ２０１は、コンピュータ命令およびデータを処理するように構成されてもよい。処理回路構成ＱＱ２０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはデジタル信号プロセッサ（ＤＳＰ）などの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成ＱＱ２０１は２つの中央処理装置（ＣＰＵ）を含んでもよい。データは、コンピュータが使用するのに適した形態の情報であってもよい。
【０１９３】
図示される実施形態では、入出力インターフェースＱＱ２０５は、入力デバイス、出力デバイス、または入出力デバイスに対する通信インターフェースを提供するように構成されてもよい。ＵＥ  ＱＱ２００は、入出力インターフェースＱＱ２０５を介して出力デバイスを使用するように構成されてもよい。出力デバイスは、入力デバイスと同じタイプのインターフェースポートを使用してもよい。例えば、ＵＥ  ＱＱ２００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ＱＱ２００は、入出力インターフェースＱＱ２０５を介して入力デバイスを使用して、ユーザがＵＥ  ＱＱ２００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【０１９４】
図２１では、ＲＦインターフェースＱＱ２０９は、通信インターフェースを、送信機、受信機、およびアンテナなどのＲＦ構成要素に提供するように構成されてもよい。ネットワーク接続インターフェースＱＱ２１１は、通信インターフェースをネットワークＱＱ２４３ａに提供するように構成されてもよい。ネットワークＱＱ２４３ａは、ローカルエリアネットワーク（ＬＡＮ）、広域ネットワーク（ＷＡＮ）、コンピュータネットワーク、無線ネットワーク、通信ネットワーク、別の類似のネットワーク、またはそれらの任意の組み合わせなど、有線および／または無線ネットワークを包含してもよい。例えば、ネットワークＱＱ２４３ａはＷｉ−Ｆｉネットワークを含んでもよい。ネットワーク接続インターフェースＱＱ２１１は、イーサネット、ＴＣＰ／ＩＰ、ＳＯＮＥＴ、ＡＴＭなど、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェースＱＱ２１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【０１９５】
ＲＡＭ  ＱＱ２１７は、バスＱＱ２０２を介して処理回路構成ＱＱ２０１にインターフェース接続して、オペレーティングシステム、アプリケーションプログラム、およびデバイスドライバなどのソフトウェアプログラムを実行する間、データまたはコンピュータ命令を格納もしくはキャッシングするように構成されてもよい。ＲＯＭ  ＱＱ２１９は、コンピュータ命令またはデータを処理回路構成ＱＱ２０１に提供するように構成されてもよい。例えば、ＲＯＭ  ＱＱ２１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体ＱＱ２２１は、ＲＡＭ、ＲＯＭ、プログラマブル読出し専用メモリ（ＰＲＯＭ）、消去可能プログラマブル読出し専用メモリ（ＥＰＲＯＭ）、電気消去可能プログラマブル読出し専用メモリ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体ＱＱ２２１は、オペレーティングシステムＱＱ２２３、ウェブブラウザアプリケーションなどのアプリケーションプログラムＱＱ２２５、ウィジェットもしくはガジェットエンジンまたは別のアプリケーション、およびデータファイルＱＱ２２７を含むように構成されてもよい。記憶媒体ＱＱ２２１は、ＵＥ  ＱＱ２００が使用するため、多種多様の様々なオペレーティングシステムまたはオペレーティングシステムの組み合わせのいずれかを格納してもよい。
【０１９６】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータ記録（ＨＤＤＳ）光学ディスクドライブ、外部ミニデュアルインラインメモリモジュール（ＤＩＭＭ）、同期式動的ランダムアクセスメモリ（ＳＤＲＡＭ）、外部マイクロＤＩＭＭ  ＳＤＲＡＭ、スマートカードメモリ（加入者識別モジュールもしくはリムーバブルユーザ識別（ＳＩＭ／ＲＵＩＭ）モジュール）、他のメモリ、またはそれらの任意の組み合わせなど、多数の物理的ドライブユニットを含むように構成されてもよい。記憶媒体ＱＱ２２１によって、ＵＥ  ＱＱ２００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体ＱＱ２２１の形で有形的に具体化されてもよい。
【０１９７】
図２１では、処理回路構成ＱＱ２０１は、通信サブシステムＱＱ２３１を使用してネットワークＱＱ２４３ｂと通信するように構成されてもよい。ネットワークＱＱ２４３ａおよびネットワークＱＱ２４３ｂは、同じネットワークまたは異なるネットワークであってもよい。通信サブシステムＱＱ２３１は、ネットワークＱＱ２４３ｂと通信するのに使用される１つまたは複数の送受信機を含むように構成されてもよい。例えば、通信サブシステムＱＱ２３１は、ＩＥＥＥ  ８０２．ＱＱ２、ＣＤＭＡ、ＷＣＤＭＡ、ＧＳＭ、ＬＴＥ、ＵＴＲＡＮ、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機ＱＱ２３３および／または受信機ＱＱ２３５を含んでもよい。更に、各送受信機の送信機ＱＱ２３３および受信機ＱＱ２３５は、回路構成要素、ソフトウェア、もしくはファームウェアを共有してもよく、あるいは別個に実現されてもよい。
【０１９８】
図示される実施形態では、通信サブシステムＱＱ２３１の通信機能は、データ通信、音声通信、マルチメディア通信、ブルートゥースなどの近距離通信、近距離無線通信、位置を決定するのに全地球測位システム（ＧＰＳ）を使用するものなどの位置依存型通信、別の類似の通信機能、またはそれらの任意の組み合わせを含んでもよい。例えば、通信サブシステムＱＱ２３１は、セルラー通信、Ｗｉ−Ｆｉ通信、ブルートゥース通信、およびＧＰＳ通信を含んでもよい。ネットワークＱＱ２４３ｂは、ローカルエリアネットワーク（ＬＡＮ）、広域ネットワーク（ＷＡＮ）、コンピュータネットワーク、無線ネットワーク、通信ネットワーク、別の類似のネットワーク、またはそれらの任意の組み合わせなど、有線および／または無線ネットワークを包含してもよい。例えば、ネットワークＱＱ２４３ｂは、セルラーネットワーク、Ｗｉ−Ｆｉネットワーク、および／または近距離ネットワークであってもよい。電源ＱＱ２１３は、交流（ＡＣ）または直流（ＤＣ）電力をＵＥ  ＱＱ２００の構成要素に提供するように構成されてもよい。
【０１９９】
本明細書に記載する特徴、利益、および／または機能は、ＵＥ  ＱＱ２００の構成要素の１つで実現されてもよく、またはＵＥ  ＱＱ２００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステムＱＱ２３１は、本明細書に記載する構成要素のいずれかを含むように構成されてもよい。更に、処理回路構成ＱＱ２０１は、バスＱＱ２０２を通じてかかる構成要素のいずれかと通信するように構成されてもよい。別の例では、かかる構成要素のいずれかは、処理回路構成ＱＱ２０１によって実行されると、本明細書に記載される対応する機能を実施する、メモリに格納されたプログラム命令によって表されてもよい。別の例では、かかる構成要素のいずれかの機能性は、処理回路構成ＱＱ２０１と通信サブシステムＱＱ２３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【０２００】
図２２は、いくつかの実施形態によって実現される機能が仮想化されてもよい、仮想化環境ＱＱ３００の一例を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、構成要素、機能、仮想機械、またはコンテナを介して）１つまたは複数の仮想構成要素として実現される実現例に関する。
【０２０１】
いくつかの実施形態では、本明細書に記載する機能の一部または全ては、１つまたは複数のハードウェアノードＱＱ３３０がホストする１つまたは複数の仮想環境ＱＱ３００において実現される、１つまたは複数の仮想機械によって実行される仮想構成要素として実現されてもよい。更に、仮想ノードが無線アクセスノードではない、または無線接続性（例えば、コアネットワークノード）を要しない実施形態では、ネットワークノードは全体的に仮想化されてもよい。
【０２０２】
機能は、本明細書に開示する実施形態のうちいくつかの特徴、機能、および／または利益の一部を実現するように動作する、１つまたは複数のアプリケーションＱＱ３２０（あるいは、ソフトウェアインスタンス、仮想アプライアンス、ネットワーク機能、仮想ノード、仮想ネットワーク機能などと呼ばれることがある）によって実現されてもよい。アプリケーションＱＱ３２０は、処理回路構成ＱＱ３６０およびメモリＱＱ３９０を備えるハードウェアＱＱ３３０を提供する仮想化環境ＱＱ３００で稼動する。メモリＱＱ３９０は、処理回路構成ＱＱ３６０によって実行可能な命令ＱＱ３９５を含み、それによってアプリケーションＱＱ３２０は、本明細書に開示する特徴、利益、および／または機能の１つもしくは複数を提供するように動作する。
【０２０３】
仮想化環境ＱＱ３００は、商用オフザシェルフ（ＣＯＴＳ）プロセッサ、専用特定用途向け集積回路（ＡＳＩＣ）、あるいはデジタルもしくはアナログハードウェア構成要素または専用プロセッサを含む他の任意のタイプの処理回路構成であってもよい、１つもしくは複数のプロセッサまたは処理回路構成ＱＱ３６０のセットを備える、汎用または専用ネットワークハードウェアデバイスＱＱ３３０を備える。各ハードウェアデバイスは、処理回路構成ＱＱ３６０によって実行される命令ＱＱ３９５またはソフトウェアを一時的に格納する非永続的メモリであってもよい、メモリＱＱ３９０−１を備えてもよい。各ハードウェアデバイスは、物理的ネットワークインターフェースＱＱ３８０を含む、ネットワークインターフェースカードとしても知られる、１つまたは複数のネットワークインターフェースコントローラ（ＮＩＣ）ＱＱ３７０を備えてもよい。各ハードウェアデバイスはまた、処理回路構成ＱＱ３６０によって実行可能なソフトウェアＱＱ３９５および／または命令が格納された、非一時的な永続的機械可読記憶媒体ＱＱ３９０−２を含んでもよい。ソフトウェアＱＱ３９５は、１つまたは複数の仮想化レイヤＱＱ３５０（ハイパーバイザとも呼ばれる）の実例となるソフトウェア、仮想機械ＱＱ３４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０２０４】
仮想機械ＱＱ３４０は、仮想処理、仮想メモリ、仮想ネットワーキングまたはインターフェース、および仮想記憶装置を含み、対応する仮想化レイヤＱＱ３５０またはハイパーバイザによって稼動してもよい。仮想アプライアンスＱＱ３２０のインスタンスの異なる実施形態は、仮想機械ＱＱ３４０の１つまたは複数で実現されてもよく、実現は異なる形で行われてもよい。
【０２０５】
動作中、処理回路構成ＱＱ３６０は、場合によっては仮想機械モニタ（ＶＭＭ）と呼ばれることがある、ハイパーバイザまたは仮想化レイヤＱＱ３５０の実例となるソフトウェアＱＱ３９５を実行する。仮想化レイヤＱＱ３５０は、仮想機械ＱＱ３４０に対するネットワーキングハードウェアのように見える、仮想オペレーティングプラットフォームを表してもよい。
【０２０６】
図２２に示されるように、ハードウェアＱＱ３３０は、一般または特定構成要素を備えた独立型ネットワークノードであってもよい。ハードウェアＱＱ３３０は、アンテナＱＱ３２２５を備えてもよく、仮想化によって一部の機能を実現してもよい。あるいは、ハードウェアＱＱ３３０は、多くのハードウェアノードが共に働き、中でも特にアプリケーションＱ３２０のライフサイクル管理を監督する、管理およびオーケストレーション（ＭＡＮＯ）ＱＱ３１００を介して管理される、ハードウェアの（例えば、データセンタもしくはカスタマ構内設備（ＣＰＥ）における）より大きいクラスタの一部であってもよい。
【０２０７】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、およびデータセンタに位置することができる物理的記憶装置、およびカスタマ構内設備上へと統合するのに使用されてもよい。
【０２０８】
ＮＦＶの文脈では、仮想機械ＱＱ３４０は、物理的な非仮想化機械で実行しているかのようにプログラムを走らせる、物理的機械のソフトウェア実現例であってもよい。各仮想機械ＱＱ３４０、およびその仮想機械を実行するハードウェアＱＱ３３０の部分は、その仮想機械専用のハードウェアであり、ならびに／あるいはその仮想機械と他の仮想機械ＱＱ３４０とで共有されるハードウェアは、別個の仮想ネットワーク要素（ＶＮＥ）を形成する。
【０２０９】
やはりＮＦＶの文脈では、仮想ネットワーク機能（ＶＮＦ）は、ハードウェアネットワーキングインフラストラクチャＱＱ３３０の最上位にある１つまたは複数の仮想機械ＱＱ３４０で稼動する特定のネットワーク機能の取り扱いに関与し、図２２のアプリケーションＱＱ３２０に相当する。
【０２１０】
いくつかの実施形態では、１つまたは複数の送信機ＱＱ３２２０および１つまたは複数の受信機ＱＱ３２１０をそれぞれ含む、１つまたは複数の無線ユニットＱＱ３２００は、１つまたは複数のアンテナＱＱ３２２５に結合されてもよい。無線ユニットＱＱ３２００は、１つまたは複数の適切なネットワークインターフェースを介してハードウェアノードＱＱ３３０と直接通信してもよく、仮想ノードに無線アクセスノードまたは基地局などの無線能力を提供する、仮想構成要素との組み合わせで使用されてもよい。
【０２１１】
いくつかの実施形態では、一部のシグナリングは、ハードウェアノードＱＱ３３０と無線ユニットＱＱ３２００との間の通信に代わりに使用されてもよい、制御システムＱＱ３２３０を使用することによって実施することができる。
【０２１２】
図２３は、いくつかの実施形態による、中間ネットワークを介してホストコンピュータに接続される通信ネットワークの一例を示す概略図である。
【０２１３】
図２３を参照すると、一実施形態によれば、通信システムは、無線アクセスネットワークなどのアクセスネットワークＱＱ４１１とコアネットワークＱＱ４１４とを含む、３ＧＰＰタイプのセルラーネットワークなどの通信ネットワークＱＱ４１０を含む。アクセスネットワークＱＱ４１１は、対応するカバレッジエリアＱＱ４１３ａ、ＱＱ４１３ｂ、ＱＱ４１３ｃをそれぞれ規定する、ＮＢ、ｅＮＢ、ｇＮＢ、または他のタイプの無線アクセスポイントなど、複数の基地局ＱＱ４１２ａ、ＱＱ４１２ｂ、ＱＱ４１２ｃを備える。各基地局ＱＱ４１２ａ、ＱＱ４１２ｂ、ＱＱ４１２ｃは、有線または無線接続ＱＱ４１５を通じてコアネットワークＱＱ４１４に接続可能である。カバレッジエリアＱＱ４１３ｃに位置する第１のＵＥ  ＱＱ４９１は、対応する基地局ＱＱ４１２ｃに無線接続するように、またはそれによってページングするように構成される。カバレッジエリアＱＱ４１３ａの第２のＵＥ  ＱＱ４９２は、対応する基地局ＱＱ４１２ａに無線接続可能である。この例では複数のＵＥ  ＱＱ４９１、ＱＱ４９２が示されているが、開示される実施形態は、単一のＵＥがカバレッジエリアにあるか、または単一のＵＥが対応する基地局ＱＱ４１２に接続している状況に等しく適用可能である。
【０２１４】
通信ネットワークＱＱ４１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータＱＱ４３０に接続される。ホストコンピュータＱＱ４３０は、サービスプロバイダの所有もしくは制御下にあってもよく、またはサービスプロバイダによって、もしくはサービスプロバイダに代わって操作されてもよい。通信ネットワークＱＱ４１０とホストコンピュータＱＱ４３０との間の接続ＱＱ４２１およびＱＱ４２２は、コアネットワークＱＱ４１４からホストコンピュータＱＱ４３０まで直接延在してもよく、または任意の中間ネットワークＱＱ４２０を介して通ってもよい。中間ネットワークＱＱ４２０は、公衆、私設、もしくはホストされたネットワークの１つ、または１つを超えるものの組み合わせであってもよく、中間ネットワークＱＱ４２０がある場合、バックボーンネットワークまたはインターネットであってもよく、特に中間ネットワークＱＱ４２０は、２つ以上のサブネットワーク（図示なし）を含んでもよい。
【０２１５】
図２３の通信システム全体は、接続されたＵＥ  ＱＱ４９１、ＱＱ４９２とホストコンピュータＱＱ４３０との間の接続性を可能にする。接続性は、オーバーザトップ（ＯＴＴ）接続ＱＱ４５０として説明されてもよい。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および場合によっては仲介物としての更なるインフラストラクチャ（図示なし）を使用して、ＯＴＴ接続ＱＱ４５０を介してデータおよび／またはシグナリングを通信するように構成される。ＯＴＴ接続ＱＱ４５０は、ＯＴＴ接続ＱＱ４５０が通っている関与する通信デバイスが、アップリンクおよびダウンリンク通信の経路指定を意識していないという意味で透明である。例えば、基地局ＱＱ４１２は、ホストコンピュータＱＱ４３０からのデータが接続されたＵＥ  ＱＱ４９１に転送される（例えば、ハンドオーバされる）、入ってくるダウンリンク通信の過去の経路指定に関して通知されなくてもよいか、または通知される必要がない。同様に、基地局ＱＱ４１２は、ＵＥ  ＱＱ４９１からホストコンピュータＱＱ４３０に向かう、出て行くアップリンク通信の今後の経路指定を意識する必要はない。
【０２１６】
図２４は、いくつかの実施形態による、部分無線接続を通じて基地局を介してユーザ機器と通信しているホストコンピュータの一例を示す概略図である。
【０２１７】
次に、一実施形態によるＵＥ基地局の例示の実現例、および上述のパラグラフで考察したホストコンピュータについて、図２４を参照して記載する。通信システムＱＱ５００では、ホストコンピュータＱＱ５１０は、通信システムＱＱ５００の異なる通信デバイスのインターフェースとの有線または無線接続を設定し維持するように構成された、通信インターフェースＱＱ５１６を含むハードウェアＱＱ５１５を備える。ホストコンピュータＱＱ５１０は、記憶および／または処理能力を有してもよい、処理回路構成ＱＱ５１８を更に備える。特に、処理回路構成ＱＱ５１８は、１つもしくは複数のプログラマブルプロセッサ、特定用途向け集積回路、フィールドプログラマブルゲートアレイ、または命令を実行するように適合されたこれらの組み合わせ（図示なし）を含んでもよい。ホストコンピュータＱＱ５１０は、ホストコンピュータＱＱ５１０に格納されるかそれによってアクセス可能であり、処理回路構成ＱＱ５１８によって実行可能である、ソフトウェアＱＱ５１１を更に備える。ソフトウェアＱＱ５１１はホストアプリケーションＱＱ５１２を含む。ホストアプリケーションＱＱ５１２は、ＵＥ  ＱＱ５３０およびホストコンピュータＱＱ５１０で終端するＯＴＴ接続ＱＱ５５０を介して接続するＵＥ  ＱＱ５３０などのリモートユーザに、サービスを提供するように動作可能であってもよい。サービスをリモートユーザに提供する際、ホストアプリケーションＱＱ５１２は、ＯＴＴ接続ＱＱ５５０を使用して送信されるユーザデータを提供してもよい。
【０２１８】
通信システムＱＱ５００は、通信システムに提供され、ホストコンピュータＱＱ５１０およびＵＥ  ＱＱ５３０と通信できるようにするハードウェアＱＱ５２５を備える、基地局ＱＱ５２０を更に含む。ハードウェアＱＱ５２５は、通信システムＱＱ５００の異なる通信デバイスのインターフェースとの有線または無線接続を設定し維持する通信インターフェースＱＱ５２６、ならびに基地局ＱＱ５２０がサーブするカバレッジエリア（図２４には図示なし）に位置するＵＥ  ＱＱ５３０との少なくとも無線接続ＱＱ５７０を設定し維持する無線インターフェースＱＱ５２７を含んでもよい。通信インターフェースＱＱ５２６は、ホストコンピュータＱＱ５１０への接続ＱＱ５６０を容易にするように構成されてもよい。接続ＱＱ５６０は、直接であってもよく、または通信システムのコアネットワーク（図２４には図示なし）、および／または通信システム外の１つもしくは複数の中間ネットワークを通過してもよい。図示される実施形態では、基地局ＱＱ５２０のハードウェアＱＱ５２５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成ＱＱ５２８を更に含む。基地局ＱＱ５２０は、内部に格納されるか、または外部接続を介してアクセス可能な、ソフトウェアＱＱ５２１を更に有する。
【０２１９】
通信システムＱＱ５００は、既に言及したＵＥ  ＱＱ５３０を更に含む。ハードウェアＱＱ５３５は、ＵＥ  ＱＱ５３０が現在位置しているカバレッジエリアにサーブする基地局との無線接続ＱＱ５７０を設定し維持するように構成された、無線インターフェースＱＱ５３７を含んでもよい。ＵＥ  ＱＱ５３０のハードウェアＱＱ５３５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成ＱＱ５３８を更に含む。ＵＥ  ＱＱ５３０は、ＵＥ  ＱＱ５３０に格納されるかそれによってアクセス可能であり、処理回路構成ＱＱ５３８によって実行可能である、ソフトウェアＱＱ５３１を更に備える。ソフトウェアＱＱ５３１はクライアントアプリケーションＱＱ５３２を含む。クライアントアプリケーションＱＱ５３２は、ホストコンピュータＱＱ５１０が対応しているＵＥ  ＱＱ５３０を介して人間または人間以外のユーザにサービスを提供するように動作可能であってもよい。ホストコンピュータＱＱ５１０では、実行中のホストアプリケーションＱＱ５１２は、ＵＥ  ＱＱ５３０およびホストコンピュータＱＱ５１０で終端するＯＴＴ接続ＱＱ５５０を介して、実行中のクライアントアプリケーションＱＱ５３２と通信してもよい。サービスをユーザに提供する際、クライアントアプリケーションＱＱ５３２は、要求データをホストアプリケーションＱＱ５１２から受信し、要求データに応答してユーザデータを提供してもよい。ＯＴＴ接続ＱＱ５５０は、要求データおよびユーザデータの両方を転送してもよい。クライアントアプリケーションＱＱ５３２は、ユーザと相互作用して、提供するユーザデータを生成してもよい。
【０２２０】
図２４に示されるホストコンピュータＱＱ５１０、基地局ＱＱ５２０、およびＵＥ  ＱＱ５３０はそれぞれ、図２３のホストコンピュータＱＱ４３０、基地局ＱＱ４１２ａ、ＱＱ４１２ｂ、ＱＱ４１２ｃの１つ、およびＵＥ  ＱＱ４９１、ＱＱ４９２の１つと同様または同一であってもよいことが注目される。つまり、これらのエンティティの内部仕事は図２４に示されるようなものであってもよく、また独立して、周囲のネットワークトポロジーは図２３のものであってもよい。
【０２２１】
図２４では、ＯＴＴ接続ＱＱ５５０は、仲介デバイスおよびそれらのデバイスを介したメッセージの正確な経路指定に明示的に言及することなく、基地局ＱＱ５２０を介したホストコンピュータＱＱ５１０とＵＥ  ＱＱ５３０との間の通信を示すため、抽象的に描かれている。ネットワークインフラストラクチャは、ＵＥ  ＱＱ５３０から、またはホストコンピュータＱＱ５１０を動作させるサービスプロバイダから、または両方から隠れるように構成されてもよい、経路指定を決定してもよい。ＯＴＴ接続ＱＱ５５０がアクティブである間、ネットワークインフラストラクチャは更に、（例えば、ネットワークのロードバランシングの考慮または再構成に基づいて）経路指定を大幅に変更する決定を行ってもよい。
【０２２２】
ＵＥ  ＱＱ５３０と基地局ＱＱ５２０との間の無線接続ＱＱ５７０は、本開示を通して記載される実施形態の教示にしたがっている。様々な実施形態の１つまたは複数は、無線接続ＱＱ５７０が最後のセグメントを形成するＯＴＴ接続ＱＱ５５０を使用してＵＥ  ＱＱ５３０に提供される、ＯＴＴサービスの性能を改善する。
【０２２３】
測定手順は、データ転送率、レイテンシ、および１つまたは複数の実施形態を改善する際の他の因子を監視する目的のために提供されてもよい。更に、測定結果の変動に応答して、ホストコンピュータＱＱ５１０とＵＥ  ＱＱ５３０との間でＯＴＴ接続ＱＱ５５０を再構成する任意のネットワーク機能性があってもよい。測定手順、および／またはＯＴＴ接続ＱＱ５５０を再構成するネットワーク機能性は、ホストコンピュータＱＱ５１０のソフトウェアＱＱ５１１およびハードウェアＱＱ５１５の形、またはＵＥ  ＱＱ５３０のソフトウェアＱＱ５３１およびハードウェアＱＱ５３５の形で、または両方で実現されてもよい。実施形態では、センサ（図示なし）は、ＯＴＴ接続ＱＱ５５０が通過する通信デバイスにおいて、またはそれと関連して展開されてもよく、センサは、上記に例示した監視量の値を供給することによって、または監視量を計算もしくは推定するのにソフトウェアＱＱ５１１、ＱＱ５３１が用いる他の物理的量の値を供給することによって、測定手順に関与してもよい。ＯＴＴ接続ＱＱ５５０の再構成は、メッセージ形式、再送信設定、好ましい経路指定などを含んでもよく、再構成は、基地局ＱＱ５２０に必ずしも影響を及ぼさなくてもよく、基地局ＱＱ５２０にとって未知または認識不能であってもよい。かかる手順および機能性は、当該分野において知られており実践されていることがある。特定の実施形態では、測定には、ホストコンピュータＱＱ５１０がスループット、伝播時間、レイテンシなどを測定するのを容易にする、所有ＵＥシグナリングが関与してもよい。測定は、伝播時間、エラーなどを監視している状態のＯＴＴ接続ＱＱ５５０を使用して、ソフトウェアＱＱ５１１およびＱＱ５３１によってメッセージが、特に空または「ダミー」メッセージが送信されるという点で実現されてもよい。
【０２２４】
図２５Ａ〜Ｂは、いくつかの実施形態による、例えばホストコンピュータ、また任意に基地局およびユーザ機器も含む、通信システムにおいて実現される方法の例を示す概略フロー図である。
【０２２５】
図２５Ａは、一実施形態による、通信システムにおいて実現される方法を示すフローチャートである。通信システムは、図２３および２４を参照して記載したものであってもよい、ホストコンピュータ、基地局、およびＵＥを含む。本開示を簡潔にするため、図２５Ａに対する参照のみを本セクションに含める。ステップＱＱ６１０で、ホストコンピュータはユーザデータを提供する。ステップＱＱ６１０のサブステップＱＱ６１１（任意であってもよい）で、ホストコンピュータは、ホストアプリケーションを実行することによってユーザデータを提供する。ステップＱＱ６２０で、ホストコンピュータは、ユーザデータをＵＥに伝達する送信を開始する。ステップＱＱ６３０（任意であってもよい）で、基地局は、本開示全体を通して記載する実施形態の教示にしたがって、ホストコンピュータが開始した送信によって伝達されたユーザデータをＵＥに送信する。ステップＱＱ６４０（やはり任意であってもよい）で、ＵＥは、ホストコンピュータが実行したホストアプリケーションと関連付けられたクライアントアプリケーションを実行する。
【０２２６】
図２５Ｂは、一実施形態による、通信システムにおいて実現される方法を示すフローチャートである。通信システムは、図２３および２４を参照して記載したものであってもよい、ホストコンピュータ、基地局、およびＵＥを含む。本開示を簡潔にするため、図２５Ｂに対する参照のみを本セクションに含める。方法のステップＱＱ７１０で、ホストコンピュータはユーザデータを提供する。任意のサブステップ（図示なし）で、ホストコンピュータは、ホストアプリケーションを実行することによってユーザデータを提供する。ステップＱＱ７２０で、ホストコンピュータは、ユーザデータをＵＥに伝達する送信を開始する。本開示を通して記載される実施形態の教示にしたがって、送信は基地局を介してもよい。ステップＱＱ７３０（任意であってもよい）で、ＵＥは送信で伝達されるユーザデータを受信する。
【０２２７】
図２６Ａ〜Ｂは、いくつかの実施形態による、ホストコンピュータ、基地局、およびユーザ機器を含む通信システムにおいて実現される方法の例を示す概略図である。
【０２２８】
図２６Ａは、一実施形態による、通信システムにおいて実現される方法を示すフローチャートである。通信システムは、図２３および図２４を参照して記載したものであってもよい、ホストコンピュータ、基地局、およびＵＥを含む。本開示を簡潔にするため、図２６Ａに対する参照のみを本セクションに含める。ステップＱＱ８１０（任意であってもよい）で、ＵＥはホストコンピュータによって提供される入力データを受信する。それに加えて、またはその代わりに、ステップＱＱ８２０で、ＵＥはユーザデータを提供する。ステップＱＱ８２０のサブステップＱＱ８２１（任意であってもよい）で、ＵＥは、クライアントアプリケーションを実行することによってユーザデータを提供する。ステップＱＱ８１０のサブステップＱＱ８１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップＱＱ８３０（任意であってもよい）で、ホストコンピュータへのユーザデータの送信を開始する。方法のステップＱＱ８４０で、ホストコンピュータは、本開示を通して記載される実施形態の教示にしたがって、ＵＥから送信されたユーザデータを受信する。
【０２２９】
図２６Ｂは、一実施形態による、通信システムにおいて実現される方法を示すフローチャートである。通信システムは、図２３および図２４を参照して記載したものであってもよい、ホストコンピュータ、基地局、およびＵＥを含む。本開示を簡潔にするため、図２６Ｂに対する参照のみを本セクションに含める。ステップＱＱ９１０（任意であってもよい）で、本開示を通して記載される実施形態の教示にしたがって、基地局はユーザデータをＵＥから受信する。ステップＱＱ９２０（任意であってもよい）で、基地局は、ホストコンピュータに対する受信したユーザデータの送信を開始する。ステップＱＱ９３０（任意であってもよい）で、ホストコンピュータは、基地局が開始した送信で伝達されるユーザデータを受信する。
【０２３０】
補足の態様では、提案する技術は、ユーザデータを提供することと、ネットワークノードへの送信を介してユーザデータをホストコンピュータに転送することとを更に伴う、無線デバイスによって実施される方法に関する。
【０２３１】
別の補足の態様では、提案する技術は、かかる方法のステップのいずれかを実施するように設定された、処理回路構成を備える対応する無線デバイスに関する。
【０２３２】
更に別の補足の態様では、提案する技術は、ユーザデータを取得することと、ユーザデータをホストコンピュータまたは無線デバイスに転送することを更に伴う、ネットワークノードによって実施される方法に関する。
【０２３３】
更に別の補足の態様では、提案する技術は、かかる方法のステップのいずれかを実施するように設定された、処理回路構成を備える基地局などの対応するネットワークノードに関する。
【０２３４】
提案する技術はまた、ホストコンピュータおよび／または無線デバイスおよび／またはネットワークノードを含む、対応する通信システムに関することがある。
【０２３５】
上述した実施形態は単に例として与えられるものであり、提案される技術はそれらに限定されないことが理解されるべきである。添付の特許請求の範囲によって定義されるような本発明の範囲から逸脱することなく、様々な修正、組み合わせ、および変更が実施形態に対して行われてもよいことが、当業者には理解されるであろう。特に、異なる実施形態における異なる部分的な解決策を、技術的に可能であれば、他の構成で組み合わせることができる。
【０２３６】
略語
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
１×ＲＴＴ    ＣＤＭＡ２０００  １×無線送信技術
３ＧＰＰ    第３世代パートナーシッププロジェクト
５Ｇ    第５世代
ＡＢＳ    オールモストブランクサブフレーム
ＡＲＱ    自動再送要求
ＡＷＧＮ    加算性白色ガウス雑音
ＢＣＣＨ    ブロードキャスト制御チャネル
ＢＣＨ    ブロードキャストチャネル
ＣＡ    キャリアアグリゲーション
ＣＣ    キャリアコンポーネント
ＣＣＣＨ  ＳＤＵ    共通制御チャネルＳＤＵ
ＣＤＭＡ    符号分割多重化アクセス
ＣＧＩ    セルグローバル識別子
ＣＩＲ    チャネルインパルス応答
ＣｏＭＰ    協調マルチポイント
ＣＰ    サイクリックプレフィックス
ＣＰＩＣＨ    共通パイロットチャネル
ＣＱＩ    チャネル品質情報
Ｃ−ＲＮＴＩ    セルＲＮＴＩ
ＣＳＩ    チャネル状態情報
ＣＳＩ−ＲＳ    チャネル状態情報参照信号
ＤＣ    デュアルコネクティビティ
ＤＣＣＨ    専用制御チャネル
ＤＬ    ダウンリンク
ＤＭ    復調
ＤＭＲＳ    復調用参照信号
ＤＲＸ    間欠受信
ＤＴＸ    間欠送信
ＤＴＣＨ    専用トラフィックチャネル
ＤＵＴ    被試験デバイス
Ｅ−ＣＩＤ    拡張セルＩＤ（測位方法）
Ｅ−ＳＭＬＣ    エボルブドサービングモバイル位置情報センタ
ＥＣＧＩ    エボルブドＣＧＩ
ｅＮＢ    Ｅ−ＵＴＲＡＮノードＢ
ｅＰＤＣＣＨ    拡張物理ダウンリンク制御チャネル
Ｅ−ＳＭＬＣ    エボルブドサービングモバイル位置情報センタ
Ｅ−ＵＴＲＡ    エボルブドＵＴＲＡ
Ｅ−ＵＴＲＡＮ    エボルブドＵＴＲＡＮ
ＦＤＤ    周波数分割複信
ＦＦＳ    追試験
ＧＥＲＡＮ    ＧＳＭ  ＥＤＧＥ無線アクセスネットワーク
ｇＮＢ    ＮＲの基地局
ＧＮＳＳ    全地球航法衛星システム
ＧＳＭ    モバイル通信用グローバルシステム
ＨＡＲＱ    ハイブリッド自動再送要求
ＨＯ    ハンドオーバ
ＨＳＰＡ    高速パケットアクセス
ＨＲＰＤ    高速パケットデータ
ＬＯＳ    見通し線
ＬＰＰ    ＬＴＥ測位プロトコル
ＬＴＥ    ロングタームエボリューション
ｍｍＷ    ミリ波
ＭＡＣ    媒体アクセス制御
ＭＢＭＳ    マルチメディアブロードキャストマルチキャストサービス
ＭＢＳＦＮ    マルチメディアブロードキャストマルチキャストサービス単一周波数ネットワーク
ＭＢＳＦＮ  ＡＢＳ    ＭＢＳＦＮオールモストブランクサブフレーム
ＭＤＴ    ドライブ試験の最小化
ＭＩＢ    マスタ情報ブロック
ＭＭＥ    モビリティ管理エンティティ
ＭＳＣ    移動交換局
ＮＰＤＣＣＨ    狭帯域物理ダウンリンク制御チャネル
ＮＲ    新無線
ＯＣＮＧ    ＯＦＤＭＡチャネル雑音発生器
ＯＦＤＭ    直交周波数分割多重
ＯＦＤＭＡ    直交周波数分割多重アクセス
ＯＳＳ    動作サポートシステム
ＯＴＤＯＡ    観察される到達時間差
Ｏ＆Ｍ    動作およびメンテナンス
ＰＢＣＨ    物理ブロードキャストチャネル
Ｐ−ＣＣＰＣＨ    プライマリ共通制御物理チャネル
ＰＣｅｌｌ    プライマリセル
ＰＣＦＩＣＨ    物理制御フォーマットインジケータチャネル
ＰＤＣＣＨ    物理ダウンリンク制御チャネル
ＰＤＰ    プロファイル遅延プロファイル
ＰＤＳＣＨ    物理ダウンリンク共有チャネル
ＰＧＷ    パケットゲートウェイ
ＰＨＩＣＨ    物理ハイブリッドＡＲＱインジケータチャネル
ＰＬＭＮ    公衆地上移動体ネットワーク
ＰＭＩ    プリコーダマトリクスインジケータ
ＰＲＡＣＨ    物理ランダムアクセスチャネル
ＰＲＳ    測位参照信号
ＰＳＳ    プライマリ同期信号
ＰＵＣＣＨ    物理アップリンク制御チャネル
ＰＵＳＣＨ    物理アップリンク共有チャネル
ＲＡＣＨ    ランダムアクセスチャネル
ＱＡＭ    直角位相振幅変調
ＲＡＮ    無線アクセスネットワーク
ＲＡＴ    無線アクセス技術
ＲＬＭ    無線リンク管理
ＲＮＣ    無線ネットワークコントローラ
ＲＮＴＩ    無線ネットワーク仮識別子
ＲＲＣ    無線リソース制御
ＲＲＭ    無線リソース管理
ＲＳ    参照信号
ＲＳＣＰ    受信信号コード電力
ＲＳＲＰ    参照記号受信電力または参照信号受信電力
ＲＳＲＱ    参照信号受信品質または参照記号受信品質
ＲＳＳＩ    受信信号強度インジケータ
ＲＳＴＤ    参照信号時間差
ＳＣＨ    同期チャネル
ＳＣｅｌｌ    セカンダリセル
ＳＤＵ    サービスデータユニット
ＳＦＮ    システムフレーム番号
ＳＧＷ    サービングゲートウェイ
ＳＩ    システム情報
ＳＩＢ    システム情報ブロック
ＳＮＲ    信号雑音比
ＳＯＮ    自己最適化ネットワーク
ＳＳ    同期信号
ＳＳＳ    セカンダリ同期信号
ＴＤＤ    時分割複信
ＴＤＯＡ    到達時間差
ＴＯＡ    到達時間
ＴＲＰ    送受信ポイント
ＴＳＳ    ターシャリ同期信号
ＴＴＩ    送信時間間隔
ＵＥ    ユーザ機器
ＵＬ    アップリンク
ＵＭＴＳ    ユニバーサル移動体通信システム
ＵＳＩＭ    ユニバーサル加入者識別モジュール
ＵＴＤＯＡ    アップリンク到達時間差
ＵＴＲＡ    ユニバーサル地上無線アクセス
ＵＴＲＡＮ    ユニバーサル地上無線アクセスネットワーク
ＷＣＤＭＡ    広帯域ＣＤＭＡ
ＷＬＡＮ    ワイドローカルエリアネットワーク
【図１】
2021510466.tif 000003
【図２】
2021510466.tif 000004
【図３】
2021510466.tif 000005
【図４】
2021510466.tif 000006
【図５】
2021510466.tif 000007
【図６】
2021510466.tif 000008
【図７】
2021510466.tif 000009
【図８】
2021510466.tif 000010
【図９】
2021510466.tif 000011
【図１０】
2021510466.tif 000012
【図１１】
2021510466.tif 000013
【図１２】
2021510466.tif 000014
【図１３】
2021510466.tif 000015
【図１４】
2021510466.tif 000016
【図１５】
2021510466.tif 000017
【図１６】
2021510466.tif 000018
【図１７】
2021510466.tif 000019
【図１８】
2021510466.tif 000020
【図１９】
2021510466.tif 000021
【図２０】
2021510466.tif 000022
【図２１】
2021510466.tif 000023
【図２２】
2021510466.tif 000024
【図２３】
2021510466.tif 000025
【図２４】
2021510466.tif 000026
【図２５Ａ】
2021510466.tif 000027
【図２５Ｂ】
2021510466.tif 000028
【図２６Ａ】
2021510466.tif 000029
【図２６Ｂ】
2021510466.tif 000030
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
少なくとも１つのユーザデバイス（１２０）にサーブするための指向性ビームを使用するように適合された、無線通信システム（１００）における無線リソース管理を実施するための方法であって、
前記無線通信システムの少なくとも１つのネットワークノード（１１０）における無線カバレッジエリアの少なくとも一部を監視する少なくとも１つのイメージセンサ（１１５）から、画像情報を取得すること（Ｓ１）と、
前記無線通信システムのネットワークノード（１１０）とユーザデバイス（１２０）との間の無線伝播特性の変化を予測するため、前記取得した画像情報を処理すること（Ｓ２）と、
前記無線伝播特性の予測した変化に基づいて、前記無線通信システムにおける少なくとも１つの指向性ビームに対するモビリティ参照信号を制御すること（Ｓ３−Ａ）、ならびに／あるいは前記モビリティ参照信号の測定を設定すること（Ｓ３−Ｂ）、ならびに／あるいは前記モビリティ参照信号の測定による測定結果の報告および／または処理を設定すること（Ｓ３−Ｃ）と、を含む、方法。
【請求項２】
前記ネットワークノード（１１０）とユーザデバイス（１２０）との間の無線伝播特性の変化を予測するため、前記取得した画像情報を処理する前記ステップ（Ｓ２）が、前記ユーザデバイス（１２０）と前記無線カバレッジエリアにおける少なくとも１つの障害物（１２５）との間の相対移動、および／または前記ユーザデバイス（１２０）と前記ネットワークノード（１１０）との間の相対移動を推定すること（Ｓ２−１）と、前記推定した相対移動に基づいて前記無線伝播特性の変化を予測すること（Ｓ２−２）とを含む、請求項１に記載の方法。
【請求項３】
モビリティ参照信号を制御する前記ステップ（Ｓ３−Ａ）が、前記モビリティ参照信号をオンオフすること（Ｓ３−Ａ−１Ａ）、および／または前記モビリティ参照信号の送信を設定すること（Ｓ３−Ａ−１Ｂ）を含む、請求項１または２に記載の方法。
【請求項４】
前記モビリティ参照信号の測定を設定する前記ステップ（Ｓ３−Ｂ）が、周波数および／または時間単位で前記測定を設定すること（Ｓ３−Ｂ−１）を含む、請求項１から３のいずれか一項に記載の方法。
【請求項５】
測定結果の報告および／または処理を設定する前記ステップ（Ｓ３−Ｃ）が、閾値および／またはタイマーの報告および／または測定を設定すること（Ｓ３−Ｃ−１）を含む、請求項１から４のいずれか一項に記載の方法。
【請求項６】
前記画像情報が、前記無線通信システムの無線カバレッジエリアの少なくとも一部を監視する複数のイメージセンサ（１１５）から取得される、請求項１から５のいずれか一項に記載の方法。
【請求項７】
無線伝播特性の変化を予測するため、前記取得した画像情報を処理する前記ステップ（Ｓ２）が、
前記複数のイメージセンサ（１１５）から取得した前記画像情報に基づいて、前記無線カバレッジエリアまたはその少なくとも一部に関連する環境の画像ベースの地理空間的モデルを動的に生成すること（Ｓ２−１１）と、
前記無線カバレッジエリアまたはその少なくとも一部と関連付けられた無線リソース管理に関連する情報を生成すること（Ｓ２−１２）と、
前記ネットワークノード（１１０）と前記ユーザデバイス（１２０）との間の前記無線伝播特性の変化を予測するため、前記環境の前記地理空間的モデルからの情報および無線リソース管理に関連する前記情報を処理すること（Ｓ２−１３）と、を含む、請求項６に記載の方法。
【請求項８】
無線リソース管理に関する前記情報が、前記環境の前記地理空間的モデルの上位に無線リソース管理関連情報のレイヤとして生成される、請求項７に記載の方法。
【請求項９】
前記無線通信システムにおける少なくとも１つの指向性ビームに対するモビリティ参照信号を制御する（Ｓ３−Ａ）、ならびに／あるいは前記モビリティ参照信号の測定を設定する（Ｓ３−Ｂ）、ならびに／あるいは測定結果の報告および／または処理を設定する（Ｓ３−Ｃ）前記ステップが、前記無線伝播特性の予測した変化に基づいて、前記無線通信システムにおける少なくとも１つの指向性ビームに対する前記モビリティ参照信号を制御するための、ならびに／あるいは前記モビリティ参照信号の前記報告および／または測定を設定するための、ならびに／あるいは前記測定結果の報告および／または処理を設定するための、制御情報を生成すること（Ｓ３−１１）を含む、請求項１から８のいずれか一項に記載の方法。
【請求項１０】
前記無線通信システムにおける少なくとも１つの指向性ビームに対するモビリティ参照信号を制御する（Ｓ３−Ａ）、ならびに／あるいは前記モビリティ参照信号の測定を設定する（Ｓ３−Ｂ）、ならびに／あるいは測定結果の報告および／または処理を設定する（Ｓ３−Ｃ）前記ステップが、前記生成した制御情報を前記ネットワークノード（１１０）および／または前記ユーザデバイス（１２０）に転送すること（Ｓ３−１２）を更に含む、請求項９に記載の方法。
【請求項１１】
前記イメージセンサ（１１５）が前記無線通信システムの少なくとも１つのネットワークノード（１１０）と接続して配置される、ならびに／あるいは前記イメージセンサ（１１５）が前記ネットワークノード（１１０）と統合される、請求項１から１０のいずれか一項に記載の方法。
【請求項１２】
前記方法が、前記無線通信システムと関連付けられたネットワークユニット（１１０；１５０）によって実施される、請求項１から１１のいずれか一項に記載の方法。
【請求項１３】
少なくとも１つのユーザデバイス（１２０）にサーブするための指向性ビームを使用するように適合された、無線通信システム（１００）における無線リソース管理のためのシステム（２００）であって、
前記システム（２００）が、前記無線通信システムの少なくとも１つのネットワークノード（１１０）における無線カバレッジエリアの少なくとも一部を監視する少なくとも１つのイメージセンサ（１１５）から、画像情報を取得するように設定され、
前記システム（２００）が、前記無線通信システムのネットワークノード（１１０）とユーザデバイス（１２０）との間の無線伝播特性の変化を予測するため、前記取得した画像情報を処理するように設定され、
前記システム（２００）が、前記無線伝播特性の予測した変化に基づいて、前記無線通信システムにおける少なくとも１つの指向性ビームに対するモビリティ参照信号を制御し、ならびに／あるいは前記モビリティ参照信号の測定を設定し、ならびに／あるいは前記モビリティ参照信号の測定による測定結果の報告および／または処理を設定するように設定される、システム（２００）。
【請求項１４】
前記システム（２００）が、前記ユーザデバイス（１２０）と前記無線カバレッジエリアにおける少なくとも１つの障害物（１２５）との間の相対移動、および／または前記ユーザデバイス（１２０）と前記ネットワークノード（１１０）との間の相対移動の推定とに基づいて、前記ネットワークノード（１１０）とユーザデバイス（１２０）との間の無線伝播特性の変化を予測するため、前記取得した画像情報を処理するように設定され、前記無線伝播特性の変化の予測は前記推定した相対移動に基づく、請求項１３に記載のシステム。
【請求項１５】
前記システム（２００）が、モビリティ参照信号のオンオフ、および／または前記モビリティ参照信号の送信の設定に基づいて、前記モビリティ参照信号を制御するように設定される、請求項１３または１４に記載のシステム。
【請求項１６】
少なくとも１つのユーザデバイス（１２０）にサーブする指向性ビームを使用するように適合された、無線通信システム（１００）のための無線リソース管理コントローラ（４００）であって、
前記コントローラ（４００）が、前記無線通信システムの無線カバレッジエリアの少なくとも一部を監視する少なくとも１つのイメージセンサ（１１５）からの画像情報に基づいて、前記無線通信システムにおける少なくとも１つの指向性ビームに対するモビリティ参照信号を制御するように適合され、ならびに／あるいは前記モビリティ参照信号の測定を設定するように適合され、ならびに／あるいは前記モビリティ参照信号の測定による測定結果の報告および／または処理を設定するように適合される、無線リソース管理コントローラ（４００）。
【請求項１７】
請求項１６に記載の無線リソース管理コントローラ（４００）を備える、ネットワークユニット（１１０；１５０；３００）。
【請求項１８】
実行されると、少なくとも１つのユーザデバイスにサーブするための指向性ビームを使用するように適合された、無線通信システムにおける無線リソース管理を実施するためのコンピュータプログラム（５２５；５３５）であって、前記コンピュータプログラム（５２５；５３５）が命令を含み、該命令が、少なくとも１つのプロセッサ（５１０）によって実行されると、前記少なくとも１つのプロセッサ（５１０）に、
前記無線通信システムの少なくとも１つのネットワークノードにおける無線カバレッジエリアの少なくとも一部を監視する少なくとも１つのイメージセンサから、画像情報を取得させ、
前記無線通信システムのネットワークノードとユーザデバイスとの間の無線伝播特性の変化を予測するため、前記取得した画像情報を処理させ、
前記無線伝播特性の予測した変化に基づいて、前記無線通信システムの少なくとも１つの指向性ビームに対するモビリティ参照信号を制御するための、ならびに／あるいは前記モビリティ参照信号の測定を設定するための、ならびに／あるいは前記モビリティ参照信号の測定による測定結果の報告および／または処理を設定するための、制御情報を生成させる、コンピュータプログラム（５２５；５３５）。
【請求項１９】
請求項１８のコンピュータプログラム（５２５；５３５）を格納したコンピュータ可読媒体（５２０；５３０）を含む、コンピュータプログラム製品。
【国際調査報告】
2021510466.tif 000031
2021510466.tif 000032
2021510466.tif 000033